(57)【要約】      （修正有）【課題】汎用性が高く、ベビーキャリア等の乳幼児用具または機器に対して乳幼児の配置に対応した適切な位置に取付け可能であり、乳幼児等の唾液、涎、汗、脂等で乳幼児用具または機器や使用者の着衣が汚れるのを防止する。【解決手段】汚れ防止プロテクターＰは、接合及び分離自在な雌部材と雄部材とからなる接合具としての４ａ，４ｃによって、使用者の肩周りに装着される一対の肩ベルト１５０に対して、その任意の位置の周囲を覆うように取付けられ、取付けたときに外表面となる露出面に係合部としてのホック５Ａ，５Ｂを設けた一対の肩ベルトカバー１０と、中央に位置し所定の面積からなる本体部２１及び本体部の左右両側から外方向に左右対称に突設し、表裏の一方に肩ベルトカバー１０の係合部に取付け自在な一対の取付部としてのホック５Ｃ，５Ｄを設けた一対の連結部２２からなる架橋パッド２０とを具備する。【選択図】図５
2015205098.tif 000002
【特許請求の範囲】
【請求項１】
接合及び分離自在な雄部材と雌部材とからなる接合具によって、使用者の肩周りに装着される一対の肩ベルトに対して、その任意の位置の周囲を覆うように取付けられ、取付けたときに外表面となる露出面に係合部を設けた一対の肩ベルトカバーと、
中央に位置し所定の面積からなる本体部、及び、前記本体部の左右両側から外方向に左右対称に突設し、表裏の少なくとも一方に前記肩ベルトカバーの係合部に取付け自在な一対の取付部を設けた一対の連結部からなる架橋パッドと
を具備することを特徴とする汚れ防止プロテクター。
【請求項２】
前記肩ベルトカバーが、互いに対向する２辺を同一長さとした４辺を有する略長方形状を呈し、前記接合具が、表裏の両面に互いに隣接する前記２辺が交差することによって形成される対向する２角部に設けた雌部材及び雄部材からなる係合側並びに他の対向する２角部に設けた前記係合側の反対側の意匠側をそれぞれ形成したものであることを特徴とする請求項１に記載の汚れ防止プロテクター。
【請求項３】
前記略長方形状は、１：１以上、１：２以下のサイズ比としたことを特徴とする請求項２に記載の汚れ防止プロテクター。
【請求項４】
前記肩ベルトカバーが、全辺の対向する２辺を同一長さとした４辺を有する略長方形状を呈し、前記接合具の雌部材が表裏面のうちの一方の面における横方向端部に設けられ、前記接合具の雄部材が他方の面における横方向の他の端部に設けられことを特徴とする請求項１に記載の汚れ防止プロテクター。
【請求項５】
前記肩ベルトカバー及び／または前記架橋パッドは、パイル地及び／またはガーゼ地から形成されることを特徴とする請求項１乃至請求項４の何れか１つに記載の汚れ防止プロテクター。
【請求項６】
前記肩ベルトカバー及び／または前記架橋パッドは、伸縮性を有することを特徴とする請求項１乃至請求項５の何れか１つに記載の汚れ防止プロテクター。
【請求項７】
前記架橋パッドの一対の連結部に設けた取付部の位置は、当該一対の連結部の取付部間を結ぶ直線と架橋パッドの縦方向の中心線とが交差する交差点が、当該中心線及び架橋パッド上辺が交わる頂点からの距離と、当該中心線及び架橋パッドの下辺が交わる底点からの距離との距離比で１：１〜１：４の範囲内の位置となるように設定されることを特徴とする請求項１乃至請求項６の何れか１つに記載の汚れ防止プロテクター。
【発明の詳細な説明】
【技術分野】
【０００１】
本発明は、ベビーキャリア等の乳幼児用具または機器に取付けられ、乳幼児等の唾液、涎、汗、脂等により乳幼児用具または機器が汚れたり乳幼児用具または機器を使用する使用者の着衣が汚れたりするのを防止できる汚れ防止プロテクターに関するものである。
【背景技術】
【０００２】
乳幼児を抱く際に乳幼児を抱持する補助具としてベビーキャリアが使用されるが、このベビーキャリアを使用して乳幼児を抱持する態様、即ち、抱持方法としては、乳幼児の前向きおんぶまたは後ろ向きおんぶ、乳幼児と向かい合う対面抱き、乳幼児の向きを逆にする前向き抱き、乳幼児を寝かせる横抱きがあり、乳幼児の成長や使用場面によって選択される。そこで、従来から、ベビーキャリア使用者への装着態様を変更することで、１つのベビーキャリアで複数の抱持方法に対応できるようにしたベビーキャリアも提案されている。
【０００３】
ここで、このようなベビーキャリアを用いて、例えば、乳幼児と向かい合う対面抱き、または、乳幼児の前向きおんぶで乳幼児を抱持したとき、ベビーキャリアの肩ベルトの一部に乳幼児の唇が当たり、乳幼児の唇が刺激され、肩ベルトを舐め始めることがある。中には、一度舐め始めると、癖になり、肩ベルトを舐めなければいけないように舐める乳幼児もいる。また、ベビーキャリア使用者である親等は、乳幼児の肩ベルトを舐める癖を発見すると、その癖を直させようと努力するが、直らないのが一般的である。このため、乳幼児の口が触れた肩ベルトの接触付近は、乳幼児の唾液や飲食したミルク等の付着によって汚れやすい状態にあり、汚れによって変色したり、悪臭を放ったりすることもあり、衛生的にも好ましくない。そこで、親等は、不潔さや不衛生さを感じてベビーキャリアを使用する度に部分的につまみ洗いをしたり、全体をドライクリーニングしたりすることもある。しかし、ベビーキャリアの肩ベルトを部分的につまみ洗いすると、つまみ洗いした個所が乾燥するまでに時間がかかり、却って、細菌が繁殖する可能性がある。また、つまみ洗いした個所の生地を傷めてしまい、それによって、乳幼児肌への刺激を増大させることもあり、更には、洗濯による色落ち等によって色が褪せてしまうこともある。一方、全体をドライクリーニングする場合には手間がかかり、更に、型崩れが生じることもある。特に、外部に依頼した場合にはそのコストが高くなり、使用効率も低下せざるを得ない。
【０００４】
加えて、乳幼児と向かい合う対面抱きまたは乳幼児の前向きおんぶで乳幼児を抱持する場合、乳幼児の口元が使用者の胸元または背中にも触れやすく、乳幼児の唾液や飲食したミルク等の付着により、更には、乳幼児の涎等によって使用者の着衣が汚れることがあった。
また、乳幼児の胴体を支えるベビーキャリアの本体布において乳幼児の頭部から背中側にあてがわれる個所が、乳幼児の汗や脂で汚れることもあった。
【０００５】
一方で、乳幼児の向きを逆にする前向き抱き、または、乳幼児の前向きおんぶで乳幼児を抱持した際には、乳幼児の胴体を支えるベビーキャリアの本体布の上辺縁部（上端部）に乳幼児の唇が当たり、乳幼児の唇が刺激され、ベビーキャリアの本体上辺縁部（上端部）を舐め始めることがある。このため、乳幼児の唾液や飲食したミルク等の付着により、更には、乳幼児の垂らした涎によっても、ベビーキャリアの本体上辺縁部（上端部）が汚れてくることがあった。
加えて、乳幼児の後頭部から背中側に触れる使用者の着衣が乳幼児の汗や脂で汚れることもあった。
【０００６】
また、ベビーキャリアに限らず、ベビーカー、車載用ベビーシート（チャイルドシート）等の乳幼児用具または機器においても、乳幼児の舐め行為による唾液や飲食したミルク等の付着によって肩ベルトが汚れたり、乳幼児の後頭部から背中側の汗や脂等によって乳幼児の背中側にあてがわれる本体部（背もたれ）が汚れたりすることがある。しかも、ベビーカー、車載用ベビーシート（チャイルドシート）等の乳幼児用具または機器はベビーキャリアよりも一般的に洗浄するのが難しい。
【０００７】
そこで、特許文献１において、キャリア本体から延設される肩掛けベルトの少なくともベルト根元部分からキャリア本体の上辺縁部に至る形状にて当該ベルト根元部分と上辺縁部を覆うように形成されて、キャリア本体から肩掛けベルトを延設させてなる構成のベビーキャリアに装着される汚れ防止カバーが開示されている。この特許文献１の記載によれば、幼児を対面抱っこの状態や前向き抱っこの状態で保持されている幼児の口が触れ易い肩掛けベルトのベルト根元部分とキャリア本体の上辺縁部を覆うようにカバー本体を装着することで、幼児の口が肩掛けベルトやキャリア本体に直接触れることを防ぐことができるとしている。
【０００８】
また、特許文献２においては、幼児の涎を受ける涎掛け本体と、子守帯（１）の縦抱き用シート（３）の頭部保護部（４２）に被せるようにして前記縦抱き用シートに装着可能であり両側には前記縦抱き用シートのヘッドサポート（４６）を通過させる開口部（９２ａ）が設けられたポケット（９２）と、前記涎掛け本体の上部両端を子守帯の子守帯本体に取付けるための上部留め具（９３）と、前記涎掛け本体の下部を前記子守帯本体又は前記縦抱き用シートに択一的に取付けるための下部留め具（９４）とを備える子守帯用の涎掛けが開示されている。この特許文献２の記載によれば、幼児を前向き抱っこで保持する場合には、涎掛け本体（９１）を頭部保護部４２の内面側に垂らしつつ頭部保護部（４２）にポケット（９２）を被せる。また、留め紐（９４）を縦抱き用シート（３）のシート本体部（４１）に巻き付けてホック（９５ａ）、（９５ｂ）で相互に連結する。この状態から、頭部保護部（４２）を下方に折り返すと、その折り返し部分が涎掛け本体（９１）にて覆われる。これにより前向き抱っこで保持する際に汚れやすい頭部保護部（４２）の折り返し部分を涎掛けにて保護することができるとしている。一方、幼児を対面抱っこする際には肩帯（４）の胸元付近が汚れやすいため、涎掛け本体（９１）を肩帯（４）の前側（４ａ）の胸元付近に配置し、各肩帯（４）に設けられたホック（４ｄ）と涎掛け（９０）の上部のホック（９３）に留める。また、留め紐（９４）を両肩帯（４）の内面側に回してホック（９５ａ）、（９５ｂ）を相互に留め付けるとしている。
なお、（ ）書きの番号は、特許文献２の実施例の説明で使用された符号である。
【先行技術文献】
【特許文献】
【０００９】
【特許文献１】登録実用新案第３１７２８６７号公報
【特許文献２】特開２００５−３１２８２３号公報
【発明の概要】
【発明が解決しようとする課題】
【００１０】
ところが、特許文献１に記載の汚れ防止カバーは、左右の肩掛けベルトの少なくともベルト根元部分からキャリア本体の上辺縁部に至る部分を覆うように取付けられるものであるから、この汚れ防止カバーでは、乳幼児と向かい合う対面抱きまたは乳幼児の前向きおんぶで乳幼児を抱持したときに、乳幼児の口元が使用者の胸元または背中に触れて乳幼児の唾液、飲食したミルク等、涎等が付着することによる使用者の着衣の汚れに対応することができない。
また、肩掛けベルトの少なくともベルト根元部分に巻き付けられるキャリアカバー部とキャリア本体の上辺縁部にキャリア内外面に沿うように取付けられるベルトカバー部とが一連に連なる形態としていることで、特定の寸法形状のキャリアでないと取付けができず、取付け対象が限定される。また、ベビーキャリア以外のベビーカー、車載用ベビーシート（チャイルドシート）等の乳幼児用具または機器に取付ける概念はなく、対応できないことから、汎用性に欠ける。
【００１１】
これに対し、特許文献２の涎かけにおいては、幼児を前向き抱っこで保持する場合には、上述したように、涎掛け本体を頭部保護部の内面側に垂らしつつ頭部保護部にポケットを被せ、ヘッドサポートをポケット両側に設けた開口部に通過させ、留め紐を縦抱き用シートのシート本体部に巻き付けてホックで相互に連結することにより前向き抱っこで保持する際に汚れやすい頭部保護部の折り返し部分を涎掛けにて保護できる一方で、乳幼児と向かい合う対面抱き等で抱持したときには、各肩帯に設けられたホックに涎掛けの上部のホックを留めて涎掛け本体を使用者の胸元付近に配置することで、乳幼児の涎による肩帯の胸元付近の汚れに対応できるとしている。
【００１２】
しかし、このように特許文献２の涎かけは、キャリアの頭部保護部側に配置させる場合には、キャリアの頭部保護部に涎掛け本体の開口部から袋状にかぶせて頭部保護部に直接装着させ、また、使用者の胸元付近に配置させる場合に、肩帯に設けられたホックに涎掛けの上部のホックを留めて涎掛け本体を肩帯に直接装着させるものであることから、キャリアの寸法形状に対応した設計が必要であり、取付け対象が限定される。特に、肩帯にホックを設けた特定のキャリアでないと使用者の胸元付近に取付けることはできず、手持ちのベビーキャリアに取付けることはできない。また、ベビーキャリア以外のベビーカー、車載用ベビーシート（チャイルドシート）等の乳幼児用具または機器に取付ける概念はなく、対応できないことから、汎用性に欠ける。
【００１３】
更に、使用者の胸元付近に取付ける際に、肩帯に設けられたホックに涎掛けのホックを留めて涎掛け本体を肩帯に直接装着させる形態とすると、肩ベルトの長さ調整によって、涎掛けの相対位置を変動させることができるものの、使用者の体型や感覚によって乳幼児を抱持しやすい位置が異なり、また月齢によって乳幼児の大きさも異なることから、使用者にとって適切な肩ベルトの長さに調整した際に、乳幼児との相対関係で必ずしも肩ベルトに取付ける涎掛けが適切な位置にくるとは限らない。また、反対に、乳幼児との相対関係で肩ベルトに取付ける涎掛けが適切な位置にくるように肩ベルトを調整しても、それが使用者にとって乳幼児を抱持しやすい適切な肩ベルトの長さになっているとは限らない。即ち、乳幼児の最適な抱持位置に対応して、涎掛けを適切な位置に配置調整するのが困難である。
【００１４】
そこで、本発明は、汎用性が高く、ベビーキャリア等の乳幼児用具または機器に対して乳幼児の配置に対応した適切な位置に取付け可能であり、乳幼児等の唾液、涎、汗、脂等で乳幼児用具または機器や使用者の着衣が汚れるのを防止できる汚れ防止プロテクターの提供を課題とするものである。
【課題を解決するための手段】
【００１５】
請求項１の発明の汚れ防止プロテクターは、接合及び分離自在な雄部材と雌部材とからなる接合具によって、使用者の肩周りに装着される一対の肩ベルトの任意の位置の周囲を覆うように取付けられる一対の肩ベルトカバーにおいて、前記一対の肩ベルトに取付けたときの外表面となる露出面に係合部を設け、この係合部に対し、中央に位置し所定の面積からなる本体部及び前記本体部の左右両側から外方向に左右対称に突設した一対の連結部からなる架橋パッドにおいて、前記一対の連結部の表裏の少なくとも一方に設けた取付部が取付け自在に取付けられるものである。
【００１６】
ここで、上記一対の肩ベルトカバーは、ベビーキャリア等の一対の肩ベルトに対して、その任意の位置の周囲を覆うように、即ち、横幅方向（ベルト幅）全体を覆うように、接合及び分離自在な接合具としての雄部材及び雌部材の係合によって取付けられるものであり、取付けたときに外表面となる露出面に架橋パッドが取付けられる係合部を設けたものである。通常、肩ベルトカバーは、肩ベルトに巻き付け、その巻き付け状態を接合具によって固定することで肩ベルトの周囲全体を覆うように取付けられる。
上記一対の肩ベルトカバーの接合具としては、接合及び分離自在な雄部材と雌部材とからなり、その接合状態及びその解除状態が自在で維持されるものであればよく、例えば、ホック、ドット釦、ボタン及びボタンホール、スナップボタン、面ファスナ（マジックテープ（登録商標））等の接着布、ファスナー等が使用される。なお、接合具の個数や位置は特に限定されないが、通常、カバー両端部の表裏のどちらか一方に対応関係にある雄部材または雌部材を配設させることで、雌部材及び雄部材を重ねて係合させることができ、肩ベルトに取付けた肩ベルトカバーの内外面に、接合具としての雌部材及び雄部材が表出しない構造とすることができる。
【００１７】
また、上記架橋パッドは、中央に位置し所定の面積からなる本体部と前記本体部の左右両側から外方向に左右対称に突設し、表裏の少なくとも一方に前記肩ベルトカバーの係合部に取付け自在な取付部を設けた一対の連結部とからなるものである。
ここで、前記本体部の左右両側とは、左右方向の上部から下部までの何れの位置でもよいが、取付部の位置は、左右の取付部を結ぶ直線と架橋パッドの縦方向（上下方向）の中心線とが交差する交差点が、中心線及び架橋パッドの上辺が交わる頂点からの距離と、中心線及び架橋パッドの下辺が交わる底点からの距離との距離比で１：１〜１：４の範囲内となるように設定されるのが好ましい。該範囲内とすることにより、左右の取付部を結ぶ直線を境界としてその上下において適当な広さの吸水面積を確保できて架橋パッドを上下反転させて使用することが可能である。
【００１８】
そして、上記一対の肩ベルトカバーの係合部は、一対の肩ベルトに取付けたときに表面となる露出面に設けられ、架橋パッドが取付けられる部位であり、雄部（凸部）または雌部（凹部）のいずれかであればよい。
また、上記架橋パッドの取付部は、一対の肩ベルトカバーの係合部に取付けるために係合部の雄部（凸部）または雌部（凹部）に対応する雌部（凹部）または雄部（凸部）の何れかで形成される。
即ち、一対の肩ベルトカバーの係合部と架橋パッドの取付部は、雄部（凸部）と雌部（凹部）の関係となっていて、互いに係合及び分離自在な構成であればよく、具体的には、ホック、ドット釦、ボタン及びボタンホール、スナップボタン、面ファスナ（マジックテープ（登録商標））等の接着布等が使用される。なお、係合部・取付部の個数や位置は特に限定されず、複数設けた場合にはその組み合わせにより架橋パッドの取付け位置の調整が可能となるが、単数であってもよい。
【００１９】
なお、肩ベルトカバーの取付け対象となる肩ベルトとしては、例えば、ベビーキャリア（抱っこ紐）、ベビーカー、チャイルドシート（ベビーシート）、買い物用カート、ベビーベット、室内ブランコ、幼児用椅子等の乳幼児用具及び機器等の肩ベルトが挙げられる。ここで、例えば、ベビーキャリアでは、一対の肩ベルトが乳幼児を抱持する抱持者の肩周りに装着されることから、上記使用者とは乳幼児を抱持する抱持者を指すことになるが、ベビーカー、チャイルドシート、買い物用カート、ベビーベット、室内ブランコ、幼児用椅子等においては、一対の肩ベルトは、通常、乳幼児の肩周りに装着されることから、上記使用者とは乳幼児を指すことになる。
【００２０】
また、上記一対の肩ベルトカバー及び架橋パッドを形成する生地としては、吸水性が良い生地の使用が好ましく、例えば、パイル地、ガーゼ等を使用できる。更には、伸縮性（弾性）を持たせるのが望ましい。加えて、パイル地等に限らず生地は切断するとその端部がほつれてくるので、そのほつれを防止するために、また意匠性を向上させるために、生地の端部にはパイピング処理を行うのが好適である。
【００２１】
請求項２の発明の汚れ防止プロテクターは、請求項１の構成において、前記肩ベルトカバーが、互いに対向する２辺を同一長さとした４辺を有する略長方形状を呈し、前記接合具が、表裏の両面に互いに隣接する前記２辺が交差することによって形成される対向する２角部に設けた雌部材及び雄部材からなる係合側並びに他の対向する２角部に設けた前記係合側の反対側の意匠側をそれぞれ形成したものである。
【００２２】
ここで、上記略長方形状は、正確に長方体形状ではなく、基本的形状が長方形という意味であり、例えば、互いに対向する辺の中央部を内側に凹とした弧状とするものも含まれる。
また、上記接合具は、対角線上の対向する２角部に設けた雌部材（凹パーツ）及び雄部材（凸パーツ）からなる係合側並びに他の対向する２角部に設けた係合側の反対側の意匠側をそれぞれ形成したものであり、係合側の雌部材（凹パーツ）及び雄部材（凸パーツ）によって、接合及び分離自在としたものである。具体的には、バネホック、アメリカンホック、ジャンパホック等のホックや、各種材料のボタン等が使用される。上記接合具の意匠側とは、係合側の反対側を意味し、必ずしも化粧されていることを要件とするものではない。即ち、意匠側についても化粧を必要とするものではなく、係合側でなければよい。
【００２３】
請求項３の発明の汚れ防止プロテクターは、請求項２の構成において、前記肩ベルトカバーの前記略長方形状を、１：１以上、１：２以下のサイズ比としたものである。
ここで、前記肩ベルトカバーはいかなるサイズも選択できるが、通常、略長方形状の辺の長さを最長でも２０ｃｍ以下のサイズとすることで、ベビーキャリアを始めとして、ベビーカー、チャイルドシート、買い物用カート、ベビーベット、室内ブランコ、幼児用椅子等の乳幼児が触れる生活環境の乳幼児用具及び機器等における肩ベルトの横幅サイズに対応できることから、それを基に計算すると、１：１以上、１：２以下のサイズ比とすることにより、サイズの変更あっても肩ベルトに対して安定した取付け状態が可能となる。
【００２４】
請求項４の発明の汚れ防止プロテクターは、請求項１の構成において、前記肩ベルトカバーが相互に対向する２辺を同一長さとした４辺を有する略長方形状を呈し、前記接合具の雌部材が表裏面のうちの一方の面における横方向端部に設けられ、前記接合具の雄部材が他方の面における横方向の他の端部に設けられたものである。
【００２５】
ここで、上記略長方形状は、正確に長方体形状ではなく、基本的形状が長方形という意味であり、例えば、互いに対向する辺の中央部を内側に凹とした弧状とするものも含まれる。
また、上記接合具は、表裏面のうちの一方の面における横方向端部に雌部材（凹パーツ）または雄部材（凸パーツ）が設けられ、他方の面における横方向の他の端部に、前記雌部材（凹パーツ）または雄部材（凸パーツ）に対応する雄部材（凸パーツ）または雌部材（凹パーツ）設けられ、この雌部材（凹パーツ）及び雄部材（凸パーツ）によって、接合及び分離自在としたものである。具体的には、ホック（バネホック、アメリカンホック、ジャンパホック等）、面ファスナ（マジックテープ（登録商標））等の接着布、各種材料のボタン等が使用できる。
【００２６】
請求項５の発明の汚れ防止プロテクターの前記肩ベルトカバー及び／または前記架橋パッドを形成する生地として、パイル地及び／またはガーゼ地が使用されるものである。
ここで、上記パイル地は、洗濯に耐えるタオル状の布地であればよい。しかし、一般的に、パイル地に限らず生地は切断するとその端部がほつれてくる。それを防止するために、また意匠性を向上させるために、端部にパイピング処理を行うのが好適である。パイル地または複数重ねたガーゼは１枚以上を用いるもので、織り目の細かさ、厚みで取付け個所に適応させることができる。
【００２７】
請求項６の発明の汚れ防止プロテクターの前記肩ベルトカバー及び／または前記架橋パッドは、請求項１乃至請求項５の構成において、伸縮性を有することを特徴とする請求項１乃至請求項５の何れか１つに記載の汚れ防止プロテクター。
ここで、上記伸縮性は、１方向または２方向に伸縮性を有すればよく、複数のサイズを基準として伸びを持たせることが望ましい。
【００２８】
請求項７の発明の汚れ防止プロテクターにおける前記架橋パッドの一対の連結部に設けた取付部の位置は、当該一対の連結部の取付部間を結ぶ直線と架橋パッドの縦方向の中心線とが交差する交差点が、当該中心線及び架橋パッド上辺が交わる頂点からの距離と、当該中心線及び架橋パッドの下辺が交わる底点からの距離との距離比で１：１〜１：４の範囲内の位置となるように設定されるものである。
ここで、架橋パッドの取付部の位置を設定する際に、左右の取付部間を結ぶ直線と架橋パッドの縦方向の中心線とが交差する交差点の位置が、交差点と中心線及び架橋パッド上辺が交わる頂点との距離：交差点と当該中心線及び架橋パッドの下辺が交わる底点との距離＝１：１〜１：４の範囲内の位置となるように設定することで、左右の取付部を結ぶ直線を境界としてその上下において本体部で適当な広さの吸水面積を確保できて、取付け方向が限定されることなく架橋パッドを上下反転させて使用することが可能である。
【発明の効果】
【００２９】
請求項１の発明にかかる汚れ防止プロテクターによれば、接合及び分離自在な雄部材と雌部材とからなる接合具によって一対の肩ベルトカバーが、使用者の肩周りに装着される一対の肩ベルトの任意の位置に対して、その任意の位置の周囲全体を覆うように取付けられ、そして、この肩ベルトカバーにおいて肩ベルトに取付けたときに外表面となる露出面に設けた係合部に対して、架橋パッドの一対の連結部に設けた取付部が取付け自在に取付けられることにより、一対の肩ベルトカバー間に架橋パッドが架けられ一連に連なる。
【００３０】
したがって、例えば、乳幼児用具及び機器等としてのベビーキャリアにおいて、乳幼児が使用者の顔と相向き会う対面抱きのときまたは乳幼児の前向きおんぶのときに、使用者（乳幼児を抱持する者）の胸元（対面抱きのとき）または背中（前向きおんぶのとき）と乳幼児Ｂの口元付近と間に架橋パッドが配置するように、一対の肩ベルトの乳幼児の口元が触れやすい個所に一対の肩ベルトカバーを雄部材と雌部材との接合により取付け、更に、一対の肩ベルトカバーの係合部に架橋パッドの取付部を接合させて一対の肩ベルトカバー間に架橋パッドを取付けることで、肩ベルトカバーによって乳幼児が直接肩ベルトを舐めることがなくなり、乳幼児は肩ベルトカバーを舐めることになるから、肩ベルトが汚れるのが防止され、また、一対の肩ベルトカバー間に架け渡された架橋パッドによって乳幼児の涎を受けることができ、乳幼児の涎で使用者の着衣が汚れるのが防止される。
【００３１】
また、この取付け態様に限らず、肩ベルト上における肩ベルトカバーの取付け位置や、肩ベルトカバーの取付け向き（肩ベルト上における肩ベルトカバーの係合部の位置変動）や、肩ベルトカバーの係合部及び／または架橋パッドの取付部が複数存在する場合には、それらの接合関係（組み合わせ）等を調整して、乳幼児の後頭部から背中側とベビーキャリアの乳幼児を支える本体の上辺縁部（上端部）との間に架橋パッドが配置するように一対の肩ベルトカバー間に架橋パッドを取付けることで、肩ベルトカバーによって乳幼児が直接肩ベルトを舐めることがなくなり、肩ベルトが汚れるのが防止されるのに加え、乳幼児の頭部から背中における汗や脂を受けて、ベビーキャリア本体の上辺縁部（上端部）が汚れるのを防止できる。特に、気温が高い夏場には、架橋パッドによって乳幼児から発汗した汗が吸収されることで、暑さや蒸れが軽減され、汗疹の発生が防止できる。一方で、冬場には、乳幼児の背中を温めたり保温したりする機能を果たすとして有効である。
【００３２】
更に、乳幼児と使用者とが同一方向を向く前向き抱きのときまたは乳幼児が使用者に背を向ける後ろ向きおんぶのときにおいては、乳幼児の口元がベビーキャリアの本体の上辺縁部（上端部）に触れやすいことから乳幼児の口元付近とベビーキャリアの本体の上辺縁部（上端部）との間に架橋パッドが配置するように、肩ベルト上の任意の位置に肩ベルトカバーを取付け、そして、肩ベルトカバーの係合部に架橋パッドの取付部を接合させて一対の肩ベルトカバー間に架橋パッドを取付ける。これにより、乳幼児が直接ベビーキャリアの肩ベルトや本体の上辺縁部（上端部）を舐めることがなくなり、乳幼児は肩ベルトカバーや架橋パッドを舐めることになるから、肩ベルトや本体が汚れるのが防止され、更に、一対の肩ベルトカバー間に架け渡された架橋パッドによって、乳幼児の涎を受けることができ、乳幼児の涎によって本体が汚れるのも防止できる。
【００３３】
また、この取付け態様に限らず、肩ベルト上における肩ベルトカバーの取付位置や、肩ベルトカバーの取付け向き（肩ベルト上における肩ベルトカバーの係合部の位置変動）や、肩ベルトカバーの係合部及び／または架橋パッドの取付部が複数存在する場合には、それらの接合関係（組み合わせ）等を調整して、乳幼児の後頭部から背中側と使用者（抱持者）の胸元（前抱きのとき）または背中（後ろ向きおんぶのとき）付近との間に架橋パッドが配置するように一対の肩ベルトカバー間に架橋パッドを取付けることで、乳幼児の頭部から背中における汗や脂を受けて、使用者の着衣が汚れるのを防止できる。特に、気温が高い夏場には、架橋パッドによって乳幼児や使用者から発汗した汗が吸収されることで、暑さや蒸れが軽減され、汗疹の発生が防止できる。一方で、冬場には、乳幼児と使用者との密着による保温効果を維持するとして有効である。
【００３４】
こうして、肩ベルトカバーと架橋パッドが別体に形成されていて、それぞれ独立して取付調整が可能であり、一つの取付け対象において、肩ベルト上における肩ベルトカバーの取付位置や、肩ベルトカバーの取付け向き（肩ベルト上における肩ベルトカバーの係合部の位置変動）や、肩ベルトカバーの係合部及び／または架橋パッドの取付部が複数存在する場合には、それらの接合関係（組み合わせ）等を調整して、肩ベルトカバーの取付け位置及び肩ベルト間に架けられる架橋パッドの位置を容易に変えることができ、その際の取付け調整操作も容易である。これにより、架橋パッドを乳幼児の正面側に配置して架橋パッドにより乳幼児の涎を受けたり、また、架橋パッドを乳幼児の背中側に配置して架橋パッドにより乳幼児の汗や脂を受けたり乳幼児の背中側を保温したりと、プロテクターの使用目的に応じて様々な態様で使用できる。更に、左右一対の肩ベルトの間隔（寸法）、使用者や乳幼児の体型、着衣の笠高さ、抱持姿勢等に対応した適切な位置への取付け調整が容易にでき、架橋パッドを乳幼児との関係で適切な位置に取付けることができる。即ち、乳幼児の配置に対応した適切な位置に取付け可能である。
【００３５】
加えて、本発明の汚れ防止プロテクターは、このように接合及び分離自在な雄部材と雌部材とからなる接合具によって取付け対象の任意の位置に肩ベルトカバーを取付けることができ、この肩ベルトカバーの係合部に対して、架橋パッドの取付部を係合させることにより、一対の肩ベルトカバー間に架橋パッドを取付けるものであり、取付け対象の肩ベルトの任意の位置に取付け可能な肩ベルトカバーを介して架橋パッドを取付ける構成であることから、ベビーキャリアの種類やメーカ等による左右一対の肩掛けベルトの間隔（寸法）、キャリア本体の大きさや形態等の違いにも対応でき、様々な形態の既存のベビーキャリアに対して適用させて取付けることが可能である。
【００３６】
更に、ベビーキャリア以外にも、ベビーカー、チャイルドシート、買い物用カート、ベビーベット、室内ブランコ、幼児用椅子等の乳幼児が触れる生活環境の乳幼児用具及び機器等における肩ベルト、これらは、通常、乳幼児の肩周りに装着されるが、この肩ベルトに対しても、例えば、乳幼児の口元が触れやすい個所に一対の肩ベルトカバーを取付け、この一対の肩ベルトカバーの係合部に架橋パッドの取付部を接合させ乳幼児の胸元付近に架橋パッドを取付けることができる。これにより、乳幼児は肩ベルトカバーを舐めることになるから、肩ベルトが汚れるのを防止でき、更に、肩ベルトカバー間に架け渡された架橋パッドによって、乳幼児の涎を受けることができ、乳幼児の涎かけとしても機能する。また、架橋パッドを乳幼児の後頭部から背中側に配置するように取付けることで、乳幼児の頭部から背中における汗や脂を受けることができ、乳幼児用具及び機器等の本体が汚れるのを防止することもできる。特に、気温が高い夏場には、架橋パッドによって乳幼児から発汗した汗が吸収されることで、暑さや蒸れが軽減され、汗疹の発生が防止できる。一方で、冬場には、乳幼児の背中を温めたり保温したりする機能を果たすとして有効である。
こうして、様々な形態の既存のベビーキャリアに対応できるのみならず、１つあればベビーキャリア以外の様々な乳幼児用具及び機器にも共通に使用でき、汎用性が高い。
【００３７】
そして、肩ベルトカバーや架橋パッドが汚れたときには、それらを取り外して洗濯することで、清潔さを保つことができ、ベビーキャリアの洗濯に伴う手間が省かれ、また、型崩れ、生地の傷み、色落ち等も防止できる。また、肩ベルトカバーや架橋パッドを洗濯によって常に清潔に保つことで、乳幼児の涎、汗等が付着することや舐めることによる不潔感、不衛生感も解消させることができる。
【００３８】
請求項２の発明の汚れ防止プロテクターによれば、前記肩ベルトカバーが、互いに対向する２辺を同一長さとした４辺を有する略長方形状を呈し、前記接合具が、表裏の両面に互いに隣接する前記２辺が交差することによって形成される対向する２角部に設けた雌部材（凹パーツ）及び雄部材（凸パーツ）からなる係合側並びに他の対向する２角部に設けた前記係合側の反対側の意匠側をそれぞれ形成したものであるから、左右方向の２辺または上下方向の２辺の２パターンで、互いに対向する２辺を接近させ、接合具としての雌部材及び雄部材を重ねて係合して対向する端部を接合させることで肩ベルトに巻きつけるように取付けることができ、肩ベルトに対して取付け可能な寸法を２種類に設定できる。肩ベルトの周囲の長さ（ベルト幅）寸法に対応させる取付け選択肢が２種類あることで、請求項１に記載の効果に加えて、肩ベルトの周囲長に近似する長さを選択した取り付けが可能であり、肩ベルトに対するフィット性を向上させ、取付けの安定化を図ることができる。
【００３９】
また、一方の接合具の意匠側を内側に入れ、その表面側に同一辺上の接合具の係合側を重ねて係合し、また、対向辺の固着具の意匠側を内側に入れ、その表面側に同一辺上の前記固着具の係合側を重ねて係合することによって肩ベルトに取付けることができ、取付けた肩ベルトに接触する肩ベルトカバーの内側の面には、接合具の意匠側が位置することから、肩ベルト側を傷つけることがない。さらに、肩ベルトカバーの外側の面にも同様に意匠側が位置することから、乳幼児の唇や舌を怪我させることがない。
【００４０】
請求項３の発明の汚れ防止プロテクターによれば、前記肩ベルトカバーの前記略長方形状を、１：１以上、１：２以下のサイズ比としたから、請求項１または請求項２の効果に加えて、その比率内であれば、通常の使用状態では、乳幼児が触れる生活環境の乳幼児用具及び機器等の構成部品のサイズとの関係で、サイズの変更があっても対応可能である。よって、請求項２に記載の効果に加えて、肩ベルトに対してより安定した取付け状態が可能となる。
【００４１】
請求項４の発明の汚れ防止プロテクターによれば、前記肩ベルトカバーが相互に対向する２辺を同一長さとした４辺を有する略長方形状を呈し、前記接合具の雌部材が表裏面のうちの一方の面における横方向端部に設けられ、前記接合具の雄部材が他方の面における横方向の他の端部に設けられたものであり、簡単な構成であることから、請求項１に記載の効果に加えて、製造が容易で低コスト化を図ることができる。また、横方向端部の互いに対向する２辺を接近させ、接合具としての雌部材及び雄部材を重ねて係合して互いに対向する端部を接合させる単純な取付け操作で肩ベルトに巻きつけるように取付けることができ、取付けた肩ベルトに接触する肩ベルトカバーの内側及び外側の面には、接合具としての雌部材及び雄部材が位置しないことから、肩ベルト側を傷つけることがなく、乳幼児の唇や舌を怪我させることもない。特に、接合具が幅広の面ファスナ（マジックテープ（登録商標））等の接着布である場合、接着布同士の係着位置を変えることで、肩ベルトの周囲長（ベルト幅）によりフィットさせることができ、安定した取付け状態が可能である。
【００４２】
請求項５の発明の汚れ防止プロテクターによれば、前記肩ベルトカバー及び／または前記架橋パッドは、パイル地及び／またはガーゼ地から形成されることから、請求項１乃至請求項４の何れか１つに記載の効果に加えて、洗濯が容易であり、また、肌触りがよく乳幼児に対しての刺激も少なく、乳幼児が触れた際にも違和感のない感触となり、不自然さがないものとなる。
【００４３】
請求項６の発明の汚れ防止プロテクターによれば、前記肩ベルトカバー及び／または前記架橋パッドは伸縮性を有することから、請求項１乃至請求項５の何れか１つに記載の効果に加えて、寸法の違いが弾性によっても吸収でき、より安定した取付け状態が可能である。
【００４４】
請求項７の発明の汚れ防止プロテクターによれば、前記架橋パッドの一対の連結部に設けた取付部の位置は、当該一対の連結部の取付部間を結ぶ直線と架橋パッドの縦方向の中心線とが交差する交差点が、当該中心線及び架橋パッド上辺が交わる頂点からの距離と、当該中心線及び架橋パッドの下辺が交わる底点からの距離との距離比で１：１〜１：４の範囲内の位置となるように設定されることから、左右の取付部を結ぶ直線を境界としてその上下において適当な広さの本体部の吸水面積を確保できる、よって、請求項１乃至請求項６の何れか１つに記載の効果に加えて、取付け方向が限定されることなく架橋パッドを上下反転させて使用することが可能である。
【図面の簡単な説明】
【００４５】
【図１】図１は本発明の実施の形態にかかる汚れ防止プロテクターを構成する肩ベルトカバーの表面の展開を示す全体正面図（ａ）及び全体裏面図（ｂ）である。
【図２】図２は本発明の実施の形態にかかる汚れ防止プロテクターを構成する肩ベルトカバーの長い横方向に閉じる接合操作を示す工程説明図で、第１段階（ａ）及び第２段階（ｂ）及び接合状態（ｃ）の説明図である。
【図３】図３は本発明の実施の形態にかかる汚れ防止プロテクターを構成する肩ベルトカバーの短い縦方向に閉じる接合操作を示す工程説明図で、接合前（ａ）及び接合状態（ｂ）の説明図である。
【図４】図４は本発明の実施の形態にかかる汚れ防止プロテクターを構成する架橋パッドの表面の展開を示す全体正面図（ａ）及び全体裏面図（ｂ）である。
【図５】図５は本発明の実施の形態にかかる汚れ防止プロテクターの肩ベルトカバー及び架橋パッドの取付け状態を示す要部説明図である。
【図６】図６は本発明の実施の形態にかかる汚れ防止プロテクターの肩ベルトカバー及び架橋パッドの取付けを説明するための全体図である。
【図７】図７は本発明の実施の形態にかかる汚れ防止プロテクターの肩ベルトカバー及び架橋パッドの取付け状態を示す使用者側からみた全体裏面図（ａ）及び使用者側とは反対側からみた正面図（ｂ）である。
【図８】図８はベビーキャリアを使用して乳幼児を使用者と相向き合いに抱持した状態において、本発明の実施の形態にかかる汚れ防止プロテクターの肩ベルトカバー及び架橋パッドのベビーキャリアへの取付け状態を説明するための図で、架橋パッドを乳幼児の正面側に配置した説明斜視図である。
【図９】図９はベビーキャリアを使用して乳幼児を使用者と相向き合いに抱持した状態において、本発明の実施の形態にかかる汚れ防止プロテクターの肩ベルトカバー及び架橋パッドのベビーキャリアへの取付け状態を説明するための図で、架橋パッドを乳幼児の背面側に配置した説明斜視図である。
【図１０】図１０はベビーキャリアを使用して乳幼児を使用者と相向き合いに抱持した状態において、本発明の実施の形態にかかる汚れ防止プロテクターの肩ベルトカバー及び架橋パッドのベビーキャリアへの取付け状態の一例を示す図８に対応した説明側面図（ａ）及び別の一例を示す図９に対応した説明側面図（ｂ）である。
【図１１】図１１はベビーキャリアを使用して乳幼児を使用者に背を向けた前向きに抱持した状態において、本発明の実施の形態にかかる汚れ防止プロテクターの肩ベルトカバー及び架橋パッドのベビーキャリアへの取付け状態を説明するための図で、架橋パッドを乳幼児の正面側に配置した説明側面図（ａ）及び架橋パッドを乳幼児の背面側に配置した説明側面図（ｂ）である。
【図１２】図１２はベビーキャリアを使用して乳幼児を前向きおんぶした状態において、本発明の実施の形態にかかる汚れ防止プロテクターの肩ベルトカバー及び架橋パッドのベビーキャリアへの取付け状態を説明するための図で、架橋パッドを乳幼児の正面側に配置した説明側面図（ａ）及び架橋パッドを乳幼児の背面側に配置した説明側面図（ｂ）である。
【図１３】図１３はベビーキャリアを使用して乳幼児を後ろ向きおんぶした状態において、本発明の実施の形態にかかる汚れ防止プロテクターの肩ベルトカバー及び架橋パッドのベビーキャリアへの取付け状態を説明するための図で、架橋パッドを乳幼児の正面側に配置した説明側面図（ａ）及び架橋パッドを乳幼児の背面側に配置した説明側面図（ｂ）である。
【図１４】図１４は本発明の実施の形態にかかる汚れ防止プロテクターの肩ベルトカバー及び架橋パッドのベビーカーへの取付け状態の一例を説明するための説明斜視図である。
【図１５】図１５は変形例１にかかる肩ベルトカバーの表面の展開を示す全体正面説明図（ａ）及び長い横方向に接合した状態の説明図（ｂ）及び短い縦方向に接合した状態の説明図（ｃ）である。
【図１６】図１６は変形例２にかかる肩ベルトカバーの表面の展開を示す全体正面説明図である。
【図１７】図１７は変形例３にかかる肩ベルトカバーの表面の展開を示す全体正面説明図（ａ）及び接合状態（ｂ）の説明図である。
【図１８】図１８は変形例４にかかる肩ベルトカバーの表面の展開を示す全体正面説明図（ａ）及び接合状態（ｂ）の説明図である。
【図１９】図１９は本発明の実施の形態にかかる汚れ防止プロテクターが取り付けられるベビーキャリアの一例を説明する説明図であり、ベビーキャリアの使用者側からみた正面説明図である。
【発明を実施するための形態】
【００４６】
以下、本発明の実施の形態について、図面を参照しながら説明する。
なお、実施の形態及び変形例において、同一の記号及び同一の符号は同一または相当する機能部分を意味し、実施の形態及び変形例相互の同一の記号及び同一の符号は、それら実施の形態及び変形例に共通する機能部分であるから、ここでは重複する詳細な説明を省略する。
【００４７】
本発明の実施の形態にかかる汚れ防止プロテクターにおいては、使用者Ｍの肩周りに装着される一対の肩ベルト１５０に対して、その任意の位置の周囲を覆うように取付けられる一対の肩ベルトカバー１０と、この一対の肩ベルトカバー１０に取付けられて一対の肩ベルトカバー１０間に架け渡される架橋パッド２０とから構成される（図７乃至図９参照）。
【００４８】
最初に、肩ベルト１５０に取付けられる肩ベルトカバー１０について説明すると、図１に示すように、本実施の形態の肩ベルトカバー１０は、略長方形状の本体布１と、本体布１の４隅に形成されたホック４ａ，４ｂ，４ｃ，４ｄからなる接合具と、本体布１の対向する２角部に設けたホック５Ａ，５Ｂからなる係合部とを有するものである。
【００４９】
図１に示す本実施の形態の肩ベルトカバー１０において、略長方形状の本体布１は、タオル地のようなパイル地、即ち、織物の片面または両面に毛羽や輪奈を織り出した生地や、ガーゼ地等からなる生地から形成され、洗濯可能となっている。タオル地のようなパイル地またはガーゼ地等からなる生地は、洗濯が容易で度重なる洗濯によっても丈夫で型崩れし難い。更に、肌触りがよく、乳幼児に対しての刺激も少なく、乳幼児が触れた際にも違和感のない感触となり、不自然さがないものとなる。なお、本発明を実施する場合には、パイル地やガーゼ地のみでなく、複数毎の木綿、皮等で形成し、単一材料の使用のみでなく複合化させて使用することもできる。また、その枚数も縫い合わせ、折り重ねによって複数層とすることができ、更に、リバーシブル使用とすることもできる。
そして、本実施の形態においては、本体布１のほつれを防止するために、その周囲に縫製したパイピング布２でパイピング処理をしている。このパイピング処理は、布の端をバイヤステープや他の布でくるんでほつれ防止と装飾的な処理をするものである。袋縫い、折り伏せ縫い、割り伏せ縫い、本返し縫い等で端部を処理してもよい。
【００５０】
本体布１は、互いに対向する辺１ａと辺１ｃ、辺１ｂと辺１ｄの中央部を内側に凹となる弧状とし、対向する２辺の辺１ａと辺１ｃまたは辺１ｂと辺１ｄを同一長さとした４辺を有する略長方形状となっている。
そして、本体布１の４隅３ａ，３ｂ，３ｃ，３ｄには、本体布１をベビーキャリア等の肩ベルト１５０に巻き付けて取付けるためのホック４ａ，４ｂ，４ｃ，４ｄが配設されている。このホック４ａ，４ｂ，４ｃ，４ｄとしてはバネホック、アメリカンホック、ジャンパホック、カギホック、スプリングホック等が使用される。
【００５１】
図１における対角線上のホック４ａ，４ｃは、ホック４ａの正面側が凸パーツ４ａｇで、裏面側が意匠パーツ４ａｆ、また、ホック４ｃの正面側が凸パーツ４ｃｇで、裏面側が意匠パーツ４ｃｆである。対角線上のホック４ｂ，４ｄは、ホック４ｂの正面側が意匠パーツ４ｂｆで、裏面側が凹パーツ４ｂｈ、そして、ホック４ｄの正面側が意匠パーツ４ｄｆで、裏面側が凹パーツ４ｄｈである。
【００５２】
ホック４ａ，４ｂ，４ｃ，４ｄの各中心は、ホック４ａとホック４ｂの中心を結ぶ直線Ｙ−Ｙ、ホック４ｃとホック４ｄの中心を結ぶ直線Ｙ−Ｙが、辺１ｂと辺１ｄの内側に凹となった弧状の底に略接触するように設定されている。また、ホック４ａとホック４ｄの中心を結ぶ直線Ｘ−Ｘ、ホック４ｂとホック４ｃの中心を結ぶ直線Ｘ−Ｘが、辺１ａと辺１ｃの内側に凹となった弧状の底に略接触するように設定されている。
ここで、略接触するようにとは、本体布１の各辺１ａ，１ｂ，１ｃ，１ｄを中心部に向かって折り曲げたときに、凹となった弧状の底の上に直線があるとき、対向する２辺が接触し、それよりも浅い凹のときには、対向する２辺が弾接触することになる。
【００５３】
また、本実施の形態の肩ベルトカバー１０においては、本体布１の対向する２隅（２角部）３ａ，３ｃのホック４ａ，ホック４ｃの近くに、後述する架橋パッド２０の取付部としてのホック５Ｂ，５Ｃが取付けられるためのホック５Ａ，ホック５Ｂが配設されている。このホック５Ａ，５Ｂとしても、バネホック、アメリカンホック、ジャンパホック、カギホック、スプリングホック等が使用できる。
【００５４】
図１において対向する２隅（２角部）３ａ，３ｃに設けたホック５Ａ，５Ｂは、ホック５Ａの正面側が意匠パーツ５Ａｆで、裏面側が凹パーツ５Ａｈ、また、ホック５Ｂの正面側が意匠パーツ５Ｂｆで、裏面側が凹パーツ５Ｂｈである。即ち、ホック４ａの近くに配設されたホック５Ａは、ホック４ａの正面の凸パーツ４ａｇ側が意匠パーツ５Ａｆで、ホック４ａの裏面の意匠パーツ４ａｆ側が凹パーツ５Ａｈであり、ホック４ｃの近くに配設するホック５Ｂも、ホック４ｃの正面の凸パーツ４ｃｇ側が意匠パーツ５Ｂｆで、ホック４ｃの裏面の意匠パーツ４ｃｆ側が凹パーツ５Ｂｈである。
【００５５】
そして、本体布１の４隅は、ホック４ａ，４ｂ，４ｃ，４ｄ及びホック５Ａ、ホック５Ｂの使用に耐えるだけの芯材が形成された補強部３ａ，３ｂ，３ｃ，３ｄとなっている。
【００５６】
このような構成によって、例えば、図２（ａ）に示すように、ホック４ｄ側の本体布１を本体布１の横幅方向（左右方向）の略中心部まで折り曲げ（矢印Ｒ１）、裏面側にあるホック４ｄの凹パーツ４ｄｈを表面側に出す。そこに、ホック４ａ側の本体布１を、本体布１の略中心部まで折り曲げ（矢印Ｒ２）、正面側にあるホック４ａの凸パーツ４ａｇをホック４ｄの凹パーツ４ｄｈに重ねて係合し、ホック４ａの意匠パーツ４ａｆを表面側に露出させる。このとき、ホック４ａの意匠パーツ４ａｆの近くに配設したホック５Ａの凹パーツ５Ａｈも表面側に露出することになる。
【００５７】
また、図２（ｂ）に示すように、ホック４ｂ側の本体布１を本体布１の略中心部まで折り曲げ（矢印Ｒ３）、裏面側にあるホック４ｂの凹パーツ４ｂｈを表面側に出す。そこに、ホック４ｃ側の本体布１を本体布１の略中心部まで折り曲げ（矢印Ｒ４）、正面側にあるホック４ｃの凸パーツ４ｃｇをホック４ｂの凹パーツ４ｂｈに重ねて係合し、ホック４ｃの意匠パーツ４ｃｆを表面に露出させ、図２（ｃ）に示すようにする。このとき、ホック４ｃの意匠パーツ４ｃｆの近くに配設したホック５Ｂの凹パーツ５Ｂｈも表面側に露出することになる。
【００５８】
こうして、本実施の形態の肩ベルトカバー１０は、ホック４ａとホック４ｄとの接合、及び、ホック４ｂとホック４ｃとの接合によって、ベビーキャリア等の肩ベルト１５０に取付けてその状態を固定することを可能とする。そして、肩ベルト１５０への取付状態で外表面側に露出するホック５Ａ，ホック５Ｂによって、後述の架橋パット２０の取付けを可能とする。
【００５９】
一方で、図３のように、ホック４ｄ側の本体布１を本体布１の縦幅方向（上下方向）の略中心部まで折り曲げ（矢印Ｒ５）、裏面側にあるホック４ｄの凹パーツ４ｄｈを表面側に出す。そこに、ホック４ｃ側の本体布１を本体布１の縦幅方向の略中心部まで折り曲げ（矢印Ｒ６）、正面側にあるホック４ｃの凸パーツ４ｃｇをホック４ｄの凹パーツ４ｂｈに重ね係合し、ホック４ｃの意匠パーツ４ｃｆを表面に露出させる。このとき、ホック４ｃの意匠パーツ４ｃｆの近くに配設したホック５Ｂの凹パーツ５Ｂｈも表面側に露出することになる。
【００６０】
また、ホック４ｂ側の本体布１を本体布１の縦幅方向の略中心部まで折り曲げ（矢印Ｒ６）、裏面側にあるホック４ｂの凹パーツ４ｂｈを表面側に出す。そこに、ホック４ａ側の本体布１を本体布１の縦幅方向の略中心部まで折り曲げ（矢印Ｒ５）、正面側にあるホック４ａの凸パーツ４ａｇをホック４ｂの凹パーツ４ｂｈに重ねて係合し、ホック４ａの意匠パーツ４ａｆを表面に露出させる。このとき、ホック４ａの意匠パーツ４ａｆの近くに配設したホック５Ａの凹パーツ５Ａｈも表面側に露出することになる。
【００６１】
このようにしても、本実施の形態の肩ベルトカバー１０は、ホック４ａ及びホック４ｂと、ホック４ｃ及び４ｄとの接合によって、ベビーキャリア等の肩ベルト１５０に取付けてその状態を固定することを可能とする。そして、肩ベルト１５０への取付状態で外表面側に露出するホック５Ａ、ホック５Ｂによって、後述の架橋パット２０の取付けを可能とする。
【００６２】
こうして、本実施の形態の肩ベルトカバー１０においては、図２のように左右方向の２辺（辺１ｂと辺１ｄ）または図３のように上下方向の２辺（辺１ａと辺１ｃ）の２パターンで、互いに対向する２辺（辺１ａと辺１ｃまたは辺１ｂと辺１ｄ）を本体布１の略中心部まで折り曲げて、接合具としてのホック４ａ，４ｂ，４ｃ，４ｄによって互いに対向する端部を接合させることで肩ベルト１５０に対して取付け可能な寸法を２種類に設定できる。
【００６３】
このように、本実施の形態の肩ベルトカバー１０は、接合及び分離自在な雌部材としての凹パーツ４ｂｈ，４ｄｈと雄部材としての凸パーツ４ａｇ，４ｃｇとからなる接合具としてのホック４ａ，４ｂ，４ｃ，４ｄによって、使用者Ｍの肩周りに装着される一対の肩ベルト１５０に対して、その任意の位置の周囲を覆うように取付けられ、取付けたときに外表面となる露出面に係合部としてのホック５Ａ，５Ｂの凹パーツ５Ａｈ，５Ｂｈを設けたものである。
特に、本実施の形態の肩ベルトカバー１０は、全辺１ａ，１ｂ，１ｃ，１ｄの中央部を内側に凹の弧状とし、互いに対向する２辺１ａと１ｃ，１ｂと１ｄを同一長さとした４辺を有する略長方形状を呈し、接合具としてのホック４ａ，４ｂ，４ｃ，４ｄが、本体布１の両面に互いに隣接する２辺１ａと１ｂ，１ｂと１ｃ，１ｃと１ｄ，１ｄと１ａが交差することによって形成される対向する２角部に設けた雌部材としての凹パーツ４ｂｈ，４ｄｈ及び雄部材としての凸パーツ４ａｇ，４ｃｇからなる係合側、並びに、他の対向する２角部に設けた意匠パーツ４ａｆ，４ｂｆ，４ｃｆ，４ｄｆからなる意匠側をそれぞれ形成したものである。
【００６４】
したがって、一方の接合具の意匠側である意匠パーツ（４ａｆ，４ｂｆ，４ｃｆの何れか）を内側に入れ、その表面側に同一辺上の接合具の係合側（凸パーツ４ａｇ、凹パーツ４ｂｈ、凸パーツ４ｃｇ、凹パーツ４ｄｈの何れか）を重ねて係合し、また、対向辺の接合具の意匠側である意匠パーツ（４ａｆ，４ｂｆ，４ｃｆ，４ｄｆの何れか）を内側に入れ、その表面側に同一辺上の係合側（凸パーツ４ａｇ、凹パーツ４ｂｈ、凸パーツ４ｃｇ、凹パーツ４ｄｈの何れか）を重ねて係合することによって肩ベルト１５０に取付けができる。
このとき、取付けた肩ベルト１５０に接触する肩ベルトカバー１０の内側の面（内表面）には、接合具の意匠側である意匠パーツ（４ａｆ，４ｂｆ，４ｃｆの何れか）が位置することから、肩ベルト１５０側を傷つけることがない。さらに、肩ベルトカバー１０の外側の面（外表面）にも同様に意匠側である意匠パーツ（４ａｆ，４ｂｆ，４ｃｆの何れか）が位置することから、乳幼児の唇や舌を怪我させることがない。
【００６５】
更に、本実施の形態の肩ベルトカバー１０によれば、上述したように、辺１ａ及び辺１ｃ側または辺１ｂ及び辺１ｄ側の２パターンで、互いに対向する２辺を接近させ、接合具としての凹パーツ４ｂｈ、凹パーツ４ｂｈと凸パーツ４ａｇ、凸パーツ４ｃｇとを重ねて係合することで、互いに対向する端部を接合させて肩ベルト１５０に取付けることができ、肩ベルト１５０に対して取付け可能な寸法を２種類に設定できる。肩ベルト１５０の周囲の長さ（ベルト幅）寸法に対応させる取付け選択肢が２種類あることで、肩ベルト１５０の周囲長に近似する長さを選択した取り付けが可能であり、肩ベルト１５０へのフィット性を向上させて取付け後に使用者等の動きに追従してずれが生じるのを防止し、取付けの安定化を図ることができる。
【００６６】
なお、上記正面、裏面とは、説明を平易にするものであり、図における前側が正面、後側が裏面に特定されるものではない。また、上記説明では、図２及び図３において、矢印Ｒ１〜Ｒ６方向の折曲げによって本体布１の裏面側が表面に出るようにし、裏面側とは反対の正面側が内側に入って内面となるような形態としたが、肩ベルトカバー１０をリバーシブル使用として、矢印Ｒ１〜Ｒ６方向とは反対方向の折曲げにより、本体布１の正面側が表面に出るようにし、正面側とは反対の裏面側が内面になるような形態とすることもできる。リバーシブル使用とする場合には、本体布１の正面側にも、後述の架橋パット２０と係合させるホックの凹パーツを設ける必要がある。
【００６７】
また、本発明を実施する場合には、肩ベルトカバー１０に架橋パット２０を取付けるための係合部としてのホック５の凹パーツの個数やその位置は、上記に限定されるものではなく、肩ベルトカバー１０を肩ベルト１５０に取付けたときに係合部としてのホック５の凹パーツが表面側に露出する位置であれば本体布１の任意の位置に設けることが可能である。例えば、上記ホック４ａ，４ｃの近くのみならず、本体布１の中央部に設けることもできる。しかし、意匠的には、ホック４ａ，４ｂ，４ｃ，４ｄの近くの本体布１の４隅３ａ，３ｂ，３ｃ，３ｄに設けることで、使用者が肩ベルト１５０を装着した状態で、肩ベルト１５０に取付けた肩ベルトカバー１０の重ね係合したホック４ａ，４ｂ，４ｃ，４ｄ側を肩ベルト１５０の使用者側に配置させることで（図８及び図９参照）、第三者に分からないように隠せることから、見栄えがよいものとなる。
また、肩ベルトカバー１０の係合部としてのホック５を凸パーツ側とし、後述する架橋パット２０の取付部としてのホック５を凹パーツ側とすることも可能である。
【００６８】
上記実施の形態では、接合具としてホック４を使用していることで、肩ベルト１５０の任意の位置に肩ベルトカバー１０を取付ける操作及び取り外し操作も容易である。また、面ファスナ（マジックテープ（登録商標））等の接着布のように洗濯の際に糸屑等が巻き付いて不潔感が生じることもなく、糸屑等によって取付け状態が外れやすくなることもない。
しかし、本発明を実施する場合には、ホックに限定されず、例えば、ドット釦、ボタン及びボタンホール、スナップボタン、面ファスナ（マジックテープ（登録商標））等の接着布、ファスナー等を使用することも可能である。
【００６９】
ここで、本実施の形態の変形例１にかかる肩ベルトカバー１０Ａについて、図１５を参照して、説明する。
変形例１にかかる肩ベルトカバー１０Ａは、略長方形状の本体布１と、本体布１の４隅に形成されたホック４ａ，４ｂ，４ｃ，４ｄからなる接合具と、本体布１の対向する２隅（２角部）に設けたホック５Ａ，５Ｂからなる係合部とを有するものである。
【００７０】
特に変形例１では、パイル地やガーゼ地等からなる布地を複雑な形状に切断すると生地の強度が維持できなくなる可能性が高いから、長方形に切断した本体布１としたものである。
本体布１の４隅３ａ，３ｂ，３ｃ，３ｄには、ホック４ａ，４ｂ，４ｃ，４ｄ，及びホック５Ａ，５Ｂの使用に耐えるだけの芯材が形成された別布の長方形状の補強部３ａ，３ｂ，３ｃ，３ｄを縫製している。ここでは、使い勝手の良さを優先して、本体布１とは別材料で形成しているが、本発明を実施する場合には、洗濯の容易さを優先して、本体布１と同一材料で形成することも可能である。
【００７１】
本体布１は、互いに対向する辺１ａと辺１ｃ、辺１ｂと辺１ｄを直線状とし、対向する２辺の辺１ａと辺１ｃまたは辺１ｂと辺１ｄを同一長さとした４辺を有する略長方形状となっている。
そして、本体布１の４隅の補強部３ａ，３ｂ，３ｃ，３ｄには、ホック４ａ，４ｂ，４ｃ，４ｄが配設されている。
【００７２】
変形例１においても、対角線上のホック４ａ，４ｃは、ホック４ａの正面側が凸パーツ４ａｇで、裏面側が意匠パーツ４ａｆ、また、ホック４ｃの正面側が凸パーツ４ｃｇで、裏面側が意匠パーツ４ｃｆである。対角線上のホック４ｂ，４ｄは、ホック４ｂの正面側が意匠パーツ４ｂｆで、裏面側が凹パーツ４ｂｈ（図１参照）、そして、ホック４ｄの正面側が意匠パーツ４ｄｆで、裏面側が凹パーツ４ｄｈ（図１参照）である。
【００７３】
ホック４ａ，４ｂ，４ｃ，４ｄの各中心は、ホック４ａとホック４ｂの中心を結ぶ直線Ｙ−Ｙ、ホック４ｃとホック４ｄの中心を結ぶ直線Ｙ−Ｙが、辺１ｂと辺１ｄに略接触するように設定されている。また、ホック４ａとホック４ｄの中心を結ぶ直線Ｘ−Ｘ、ホック４ｂとホック４ｃの中心を結ぶ直線Ｘ−Ｘが、辺１ａと辺１ｃに略接触するように設定されている。ここで、略接触するようにとは、当該辺がホック上の直線位置よりも外側にあるとき、本体布１の端部が重なり合い、当該辺がホック上の直線位置よりも内側にあるとき、対向する２辺に隙間が形成されるので、対向する２辺が弾接触する状態が望ましい。
【００７４】
また、ホック４ａとホック４ｃの対角線上であって補強部３ａ，３ｃのホック４ａ、ホック４ｃの近くには、後述する架橋パッド２０の取付部としてのホック５Ｂ，５Ｃが取付けられるホック５Ａ，ホック５Ｂが配設されている。このホック５Ａ，５Ｂは、ホック５Ａの正面側が意匠パーツ５Ａｆで、裏面側が凹パーツ５Ａｈ、また、ホック５Ｂの正面側が意匠パーツ５Ｂｆで、裏面側が凹パーツ５Ｂｈである。即ち、ホック４ａの凸パーツ４ａｇ側にホック５Ａの意匠パーツ５Ａｆがあり、ホック４ａの意匠パーツ４ａｆ側に凹パーツ５Ａｈがあり、また、ホック４ｃの凸パーツ４ｃｇ側にホック５Ｂの意匠パーツ５Ｂｆがあり、ホック４ｃの意匠パーツ４ｃｆ側にホック５Ｂの凹パーツ５Ｂｈがある。
【００７５】
このような構成によって、例えば、図１５（ｂ）に示すように、ホック４ｄ側の本体布１を本体布１の横幅方向（左右方向）の略中心部まで折り曲げ（矢印Ｒ７）、裏面側にあるホック４ｄの凹パーツ４ｄｈを表面側に出す。そこに、ホック４ａ側の本体布１を、本体布１の横幅方向の略中心部まで折り曲げ（矢印Ｒ８）、正面側にあるホック４ａの凸パーツ４ａｇをホック４ｄの凹パーツ４ｄｈに重ねて係合し、ホック４ａの意匠パーツ４ａｆを表面側に露出させる。このとき、ホック４ａの意匠パーツ４ａｆの近くに配設したホック５Ａの凹パーツ５Ａｈも表面側に露出することになる。
【００７６】
また、ホック４ｂ側の本体布１を本体布１の横幅方向の略中心部まで折り曲げ（矢印Ｒ８）、裏面側にあるホック４ｂの凹パーツ４ｂｈを表面側に出す。そこに、ホック４ｃ側の本体布１を本体布１の横幅方向の略中心部まで折り曲げ（矢印Ｒ７）、正面側にあるホック４ｃの凸パーツ４ｃｇをホック４ｂの凹パーツ４ｂｈに重ねて係合し、ホック４ｃの意匠パーツ４ｃｆを表面に露出させる。このとき、ホック４ｃの意匠パーツ４ｃｆの近くに配設したホック５Ｂの凹パーツ５Ｂｈも表面側に露出することになる。
【００７７】
こうして本変形例１の肩ベルトカバー１０Ａも、ホック４ａとホック４ｄとの接合、及び、ホック４ｂとホック４ｃとの接合によって、ベビーキャリア等の肩ベルト１５０に取付けてその状態を固定することを可能とする。そして、肩ベルト１５０への取付状態で表面側に露出するホック５Ａ、ホック５Ｂによって、後述の架橋パット２０の取付けを可能とする。
【００７８】
一方で、図１５（ｃ）に示すように、ホック４ｄ側の本体布１を本体布１の縦幅方向（上下方向）の略中心部まで折り曲げ（矢印Ｒ９）、裏面側にあるホック４ｄの凹パーツ４ｄｈを表面側に出す。そこに、ホック４ｃ側の本体布１を本体布１の縦幅方向の略中心部まで折り曲げ（矢印Ｒ１０）、正面側にあるホック４ｃの凸パーツ４ｃｇをホック４ｄの凹パーツ４ｂｈに重ね係合し、ホック４ｃの意匠パーツ４ｃｆを表面に露出させる。このとき、ホック４ｃの意匠パーツ４ｃｆの近くに配設したホック５Ｂの凹パーツ５Ｂｈも表面側に露出することになる。
【００７９】
また、ホック４ｂ側の本体布１を本体布１の縦幅方向の略中心部まで折り曲げ（矢印Ｒ１０）、裏面側にあるホック４ｂの凹パーツ４ｂｈを表面側に出す。そこに、ホック４ａ側の本体布１を本体布１の縦幅方向の略中心部まで折り曲げ（矢印Ｒ９）、正面側にあるホック４ａの凸パーツ４ａｇをホック４ｂの凹パーツ４ｂｈに重ねて係合し、ホック４ａの意匠パーツ４ａｆを表面に露出させる。このとき、ホック４ａの意匠パーツ４ａｆの近くに配設したホック５Ａの凹パーツ５Ａｈも表面側に露出することになる。
【００８０】
このようにしても、本変形例１の肩ベルトカバー１０Ａは、ホック４ａ及びホック４ｂと、ホック４ｃ及び４ｄとの接合によって、ベビーキャリア等の肩ベルト１５０に取付けてその状態を固定することを可能とする。そして、肩ベルト１５０への取付状態で表面側に露出するホック５Ａ、ホック５Ｂによって、後述の架橋パット２０の取付けを可能とする。
【００８１】
こうして、本変形例１の肩ベルトカバー１０Ａにおいても、図１５（ｂ）のように左右方向の２辺（辺１ｂと辺１ｄ）または図１５（ｃ）のように上下方向の２辺（辺１ａと辺１ｃ）の２パターンで、互いに対向する２辺（辺１ａと辺１ｃまたは辺１ｂと辺１ｄ）を本体布１の略中心部まで折り曲げて、接合具としてのホック４ａ，４ｂ，４ｃ，４ｄによって互いに対向する端部を接合させることで、肩ベルト１５０に対して取付け可能な寸法を２種類に設定できる。
【００８２】
このように、本変形例の肩ベルトカバー１０Ａも、接合及び分離自在な雌部材としての凹パーツ４ｂｈ，４ｄｈと雄部材としての凸パーツ４ａｇ，４ｃｇとからなる接合具としてのホック４ａ，４ｂ，４ｃ，４ｄによって、使用者Ｍの肩周りに装着される一対の肩ベルト１５０に対して、その任意の位置の周囲を覆うように取付けられ、取付けたときに外表面となる露出面に係合部としてのホック５Ａ，５Ｂの凹パーツ５Ａｈ，５Ｂｈを設けたものである。
特に、本変形例１の肩ベルトカバー１０Ａは、全辺１ａ，１ｂ，１ｃ，１ｄを直線状とし、互いに対向する２辺１ａと１ｃ，１ｂと１ｄを同一長さとした４辺を有する長方形状を呈し、接合具としてのホック４ａ，４ｂ，４ｃ，４ｄが、本体布１の両面に互いに隣接する２辺１ａと１ｂ、１ｂと１ｃ、１ｃと１ｄ、１ｄと１ａが交差することによって形成される対向する２角部に設けた雌部材としての凹パーツ４ｂｈ，４ｄｈ及び雄部材としての凸パーツ４ａｇ，４ｃｇからなる係合側、並びに、他の対向する２角部に設けた意匠パーツ４ａｆ，４ｂｆ，４ｃｆ，４ｄｆからなる意匠側をそれぞれ形成したものである。
【００８３】
したがって、本変形例１の肩ベルトカバー１０Ａも、一方の接合具の意匠側である意匠パーツ（４ａｆ，４ｂｆ，４ｃｆの何れか）を内側に入れ、その表面側に同一辺上の接合具の係合側（凸パーツ４ａｇ、凹パーツ４ｂｈ、凸パーツ４ｃｇ、凹パーツ４ｄｈの何れか）を重ねて係合し、また、対向辺の接合具の意匠側である意匠パーツ（４ａｆ，４ｂｆ，４ｃｆ，４ｄｆの何れか）を内側に入れ、その表面側に同一辺上の係合側（凸パーツ４ａｇ、凹パーツ４ｂｈ、凸パーツ４ｃｇ、凹パーツ４ｄｈの何れか）を重ねて係合することによって肩ベルト１５０に取付けができる。
このとき、取付けた肩ベルト１５０に接触する肩ベルトカバー１０Ａの内側の面（内表面）には、接合具の意匠側である意匠パーツ（４ａｆ，４ｂｆ，４ｃｆの何れか）が位置することから、肩ベルト１５０側を傷つけることがない。さらに、肩ベルトカバー１０Ａの外側の面（外表面）にも同様に意匠側である意匠パーツ（４ａｆ，４ｂｆ，４ｃｆの何れか）が位置することから、乳幼児の唇や舌を怪我させることがない。
【００８４】
更に、本変形例１の肩ベルトカバー１０Ａにおいても、上述したように、辺１ａ及び辺１ｃ側または辺１ｂ及び辺１ｄ側の２パターンで、互いに対向する２辺を接近させ、接合具としての凹パーツ４ｂｈ、凹パーツ４ｂｈと凸パーツ４ａｇ、凸パーツ４ｃｇとを重ねて係合することで、互いに対向する端部を接合させて肩ベルト１５０に取付けることができ、肩ベルト１５０に対して取付け可能な寸法を２種類に設定できる。肩ベルト１５０の周囲の長さ（ベルト幅）寸法に対応させる取付け選択肢が２種類あることで、肩ベルト１５０の周囲長に近似する長さを選択した取り付けが可能であり、肩ベルト１５０に対するフィット性を向上させて取付け後に使用者等の動きに追従してずれが生じるのを防止し、取付けの安定化を図ることができる。
【００８５】
続いて、変形例２にかかる肩ベルトカバー１０Ｂについて、図１６を参照して、説明する。
変形例２にかかる肩ベルトカバー１０Ｂも、接合及び分離自在な雌部材としての凹パーツ４ｂｈ，４ｄｈと雄部材としての凸パーツ４ａｇ，４ｃｇとからなる接合具としてのホック４ａ，４ｂ，４ｃ，４ｄによって、使用者Ｍの肩周りに装着される一対の肩ベルト１５０に対して、その任意の位置の周囲を覆うように取付けられ、取付けたときに外表面となる露出面に係合部としてのホック５Ａ，５Ｂの凹パーツ５Ａｈ，５Ｂｈ（図１５参照）を設けたものである。
そして、変形例２にかかる肩ベルトカバー１０Ｂについても、全辺１ａ，１ｂ，１ｃ，１ｄを直線状とし、互いに対向する２辺１ａと１ｃ，１ｂと１ｄを同一長さとした４辺を有する長方形状を呈し、接合具としてのホック４ａ，４ｂ，４ｃ，４ｄが、本体布１の両面に互いに隣接する２辺１ａと１ｂ，１ｂと１ｃ，１ｃと１ｄ，１ｄと１ａが交差することによって形成される対向する２角部に設けた雌部材としての凹パーツ４ｂｈ，４ｄｈ及び雄部材としての凸パーツ４ａｇ，４ｃｇからなる係合側、並びに、他の対向する２角部に設けた意匠パーツ４ａｆ，４ｂｆ，４ｃｆ，４ｄｆからなる意匠側をそれぞれ形成したものである。
【００８６】
変形例２にかかる肩ベルトカバー１０Ｂにおいては、図１６に示すように、本体布１の４隅３ａ，３ｂ，３ｃ，３ｄに、ホック４ａ，４ｂ，４ｃ，４ｄ及びホック５Ａ，５Ｂの使用に耐えるだけの皮革、合成皮革等からなる別材料の卵形状の補強部３ａ，３ｂ，３ｃ，３ｄを縫製している点のみが変形例１と相違する。その他の構成は変形例１と同じであるからここでは重複する部分の説明を省略する。
【００８７】
この変形例２にかかる肩ベルトカバー１０Ｂによれば、本体布１の４隅３ａ，３ｂ，３ｃ，３ｄに縫製されたホック４ａ，４ｂ，４ｃ，４ｄ及びホック５Ａ，５Ｂの使用に耐えるだけの芯材が形成された別布の補強部１ｅ，１ｆ，１ｇ，１ｈを卵形状としたことによって、周囲に角が存在しないことから、他のものとのひっかかりが生じ難く、また、解れや捲れも生じ難く、度重なる洗濯によっても強度を保ち、長持ちさせることができる。
【００８８】
次に、変形例３にかかる肩ベルトカバー１０Ｃについて、図１７を参照して、説明する。
変形例３にかかる肩ベルトカバー１０Ｃも、略長方形状の本体布１と、本体布１の４隅に形成されたホック４ａ，４ｂ，４ｃ，４ｄからなる接合具と、本体布１の横幅方向の一端部に設けたホック５Ａ，５Ｂからなる係合部とを有するものである。
【００８９】
変形例３において、本体布１は、互いに対向する辺１ａと辺１ｃ、辺１ｂと辺１ｄは直線状とし、対向する２辺の辺１ａと辺１ｃまたは辺１ｂと辺１ｄを同一長さとした４辺を有する略長方形状となっている。
また、本体布１の４隅には、ホック４ａ，４ｂ，４ｃ，４ｄが配設されており、横幅方向の片側端部のホック４ａ，４ｂは、正面側が意匠パーツ４ａｆ，４ｂｆで、裏面側が凹パーツ４ａｈ，４ｂｈ（図示省略）であり、他方の片側端部のホック４ｃ，４ｄは、正面側が凸パーツ４ｃｇ，４ｄｇで、裏面側が意匠パーツ４ｃｆ，４ｄｆとなっている。
【００９０】
更に、ホック４ｃ，４ｄの近くには、後述する架橋パッド２０の取付部としてのホック５Ｂ，５Ｃが取付けられるホック５Ａ，ホック５Ｂが配設されている。このホック５Ａ，５Ｂは、正面側が意匠パーツ５Ａｆ，５Ｂｆで、裏面側が凹パーツ５Ａｈ，５Ｂｈとなっている。即ち、ホック４ｃ，４ｄの近くに配設されたホック５Ａ，５Ｂは、ホック４ｃ，４ｄの凸パーツ４ｃｇ，４ｄｇ側に意匠パーツ５Ａｆ，５Ｂｆが形成され、ホック４ｃ，４ｄの意匠パーツ４ｃｆ，４ｄｆ側に凹パーツ５Ａｈ，５Ｂｈが形成されている。
【００９１】
このような構成によって、図１７において、肩ベルトカバー１０Ｃのホック４ａ，４ｂ側の本体布１を横幅方向（左右方向）の略中心部まで折り曲げ（矢印Ｒ１１）、裏面側にあるホック４ａ，４ｂの凹パーツ４ａｈ，４ｂｈ（図示省略）を表面側に出し、また、ホック４ｃ，４ｄ側の本体布１を横幅方向の略中心部まで折り曲げ（矢印Ｒ１２）、正面側にあるホック４ｃ，４ｄの凸パーツ４ｃｇ，４ｄｇをホック４ａの凹パーツ４ｂｈ，４ａｈに重ねて係合し、ホック４ｃ，４ｄの意匠パーツ４ｃｆ，４ｄｆを表面側に露出させる。このとき、ホック４ｄ，４ｃの意匠パーツ４ｄｆ，４ｃｆの近くに配設したホック５Ａ，５Ｂの凹パーツ５Ａｈ，５Ｂｈも表面側に露出することになる。
【００９２】
こうして、変形例３にかかる肩ベルトカバー１０Ｃも、ホック４ａとホック４ｄとの接合、及び、ホック４ｂとホック４ｃとの接合によって、ベビーキャリア等の肩ベルト１５０に取付けてその状態を固定することを可能とする。そして、肩ベルト１５０への取付状態で表面側に露出するホック５Ａ、ホック５Ｂによって、後述の架橋パット２０の取付けを可能とする。
【００９３】
このように、本変形例３の肩ベルトカバー１０も、接合及び分離自在な雌部材としての凹パーツ４ａｈ，４ｂｈと雄部材としての凸パーツ４ｄｇ，４ｃｇとからなる接合具としてのホック４ａ，４ｂ，４ｃ，４ｄによって、使用者Ｍの肩周りに装着される一対の肩ベルト１５０に対して、その任意の位置の周囲を覆うように取付けられ、取付けたときに外表面となる露出面に係合部としてのホック５Ａ、５Ｂの凹パーツ５Ａｈ、５Ｂｈを設けたものである。
【００９４】
特に、変形例３にかかる肩ベルトカバー１０Ｃは、全辺１ａ，１ｂ，１ｃ，１ｄを直線状とし、互いに対向する２辺１ａと１ｃ，１ｂと１ｄを同一長さとした４辺を有する略長方形状を呈し、接合具の雌部材としての凹パーツ４ａｈ，４ｂｈが、表裏面のうちの一方の面における横方向端部に設けられ、雄部材として凸パーツ４ｄｇ，４ｃｇが他方の面における横方向の他の端部に設けられたものである。
このように、変形例３にかかる肩ベルトカバー１０Ｃは、簡単な構成であることから、製造が容易で低コスト化を図ることができる。また、互いに対向する２辺１ｂと１ｄを接近させ、接合具の雌部材としての凹パーツ４ａｈ，４ｂｈ及び雄部材としての凸パーツ４ｄｇ，４ｃｇを重ねて係合して、互いに対向する端部を接合させる単純な取付け操作で、肩ベルト１５０に取付けることができ、取付けた肩ベルト１５０に接触する肩ベルトカバー１０Ｃの内側の面（内表面）及び肩ベルトカバー１０Ｃの外側の面（外表面）には、接合具の雌部材としての凹パーツ４ａｈ，４ｂｈ及び雄部材としての凸パーツ４ｄｇ，４ｃｇが位置しないことから、肩ベルト１５０側を傷つけることがなく、また、乳幼児の唇や舌を怪我させることもない。
【００９５】
更に、変形例４にかかる肩ベルトカバー１０Ｄについて、図１８を参照して、説明する。
変形例４にかかる肩ベルトカバー１０Ｄは、略長方形状の本体布１と、本体布１の片面の横幅方向端部の２隅に縫製した長方形状の接着布６ａ，６ｂ及び他方の面における横方向の他の端部の２隅に縫製した長方形状の接着布６ｃ，６ｄからなる接合具と、本体布１の片面の横幅方向の２隅に設けたホック５Ａ，５Ｂからなる係合部とを有するものである。
【００９６】
変形例４において、本体布１は、互いに対向する辺１ａと辺１ｃの中央部を外側に凸となる弧状とし、辺１ｂと辺１ｄは直線状とし、対向する２辺の辺１ａと辺１ｃまたは辺１ｂと辺１ｄを同一長さとした４辺を有する略長方形状となっている。
図１８において、本体布１の正面側の横幅方向における一端側（辺１ｄ側）の上下２隅には、マジックテープ（登録商標）のフックパーツからなる長方形状の接着布６ｃ，６ｄが縫い付けられ、裏面側の横幅方向における他の一端側（辺１ｂ側）の２隅には、マジックテープ（登録商標）のループパーツからなる長方形状の接着布６ａ，６ｂが縫い付けられている。
【００９７】
図１８において、接着布６ａ，６ｂ，６ｃ，６ｄは、接着面積が略同一のもので、接着布６ａ，６ｂは、本体布１の縦幅方向（上下方向）が長辺となるように配設されており、接着布６ｃ，６ｄは、本体布１の横幅方向（左右方向）が長辺となるように配設されている。
なお、図１８の点線は、本体布１に接着布６ａ，６ｂ，６ｃ，６ｄを縫い付けたときの縫線である。
【００９８】
また、本体布１の横幅方向端部の上下２隅には、後述する架橋パッド２０の取付部としてのホック５Ｂ，５Ｃが取付けられるためのホック５Ａ，５Ｂが配設されている。図１８において、このホック５Ａ，５Ｂは、接着布６ｃ，６ｄが配設されている正面側が意匠パーツ５Ａｆ，５Ｂｆで、裏面側が凹パーツ５Ａｈ，５Ｂｈとなっている。
【００９９】
このような構成によって，図１８において，肩ベルトカバー１０Ｄの接着布６ａ、６ｂが横幅方向（左右方向）の略中心部までくるように本体布１の右側端部を折り曲げ（矢印Ｒ１３），裏面側にある接着布６ａ、６ｂを表面側に出し、また、接着布６ｃ，６ｄが横幅方向の略中心部までくるように本体布１の左側端部を折り曲げ（矢印Ｒ１４）、表面側に出した接着布６ａに接着布６ｄを重ね、更に接着布６ｂに接着布６ｃを重ねて接合する。このとき、裏面側に配設したホック５Ａの凹パーツ５Ａｈ、ホック５Ｂの凹パーツ５Ｂｈも表面側に露出することになる。
【０１００】
こうして、変形例４にかかる肩ベルトカバー１０Ｄは、接着布６ａと接着布６ｄとの接合、及び、接着布６ｃと接着布６ｄとの接合によって、ベビーキャリア等の肩ベルト１５０に取付けて、その状態を固定することを可能とする。また、表面側に露出させるホック５Ａ、ホック５Ｂによって、後述の架橋パット２０の取付けを可能とする。
【０１０１】
このように、本変形例４の肩ベルトカバー１０Ｄは、接合及び分離自在な雌部材としてのループパーツからなる接着布６ａ，６ｂと雄部材としてのフックパーツからなる接着布６ｃ，６ｄとからなる接合具としての接着布６（６ａ，６ｂ，６ｃ，６ｄ）によって、使用者Ｍの肩周りに装着される一対の肩ベルト１５０に対して、その任意の位置の周囲を覆うように取付けられ、取付けたときに外表面となる露出面に係合部としてのホック５Ａ，５Ｂの凹パーツ５Ａｈ，５Ｂｈを設けたものである。
【０１０２】
特に、変形例４にかかる肩ベルトカバー１０Ｄは、互いに対向する辺１ａと辺１ｃの中央部を外側に凸となる弧状とし、辺１ｂと辺１ｄは直線状とし、互いに対向する２辺１ａと１ｃ，１ｂと１ｄを同一長さとした４辺を有する略長方形状を呈し、接合具の雌部材としてのループパーツからなる接着布６ａ，６ｂが、表裏面のうちの一方の面における横方向端部に設けられ、雄部材としてのフックパーツからなる接着布６ｃ，６ｄが他方の面における横方向の他の端部に設けられたものである。
このように、変形例４にかかる肩ベルトカバー１０Ｄは、簡単な構成であることから、製造が容易で低コスト化を図ることができる。また、互いに対向する２辺１ｂと１ｄを接近させ、接合具の雌部材としてのループパーツからなる接着布６ａ，６ｂ及び雄部材としてのフックパーツからなる接着布６ｃ，６ｄを重ねて係合して、左右両端部を接合させる単純な取付け操作で、肩ベルト１５０に取付けることができ、取付けた肩ベルト１５０に接触する肩ベルトカバー１０Ｄの内側の面（内表面）及び肩ベルトカバー１０Ｄの外側の面（外表面）には、接合具の雌部材としてのループパーツからなる接着布６ａ，６ｂ及び雄部材としてのフックパーツからなる接着布６ｃ，６ｄが位置しないことから、肩ベルト１５０側を傷つけることがなく、また、乳幼児の唇や舌を怪我させることもない。
【０１０３】
更に、変形例４においては、ループパーツからなる接着布６ａ，６ｂは、本体布１の縦幅方向（上下方向）が長辺となるように配設しており、フックパーツからなる接着布６ｃ，６ｄは、本体布１の横幅方向（左右方向）が長辺となるように配設していることで、接着布６ａと接着布６ｄとの接合または接着布６ｂと接着布６ｃとの接合で吸収できる寸法を大きくしている。
加えて、本体布１は、互いに対向する辺１ａと辺１ｃの中央部を外側に凸となる弧状としており、互いに対向する辺１ａと辺１ｃが直線状である場合と比較して、接着布６（６ａ，６ｂ，６ｃ，６ｄ）の接合で吸収できる寸法が増す。
したがって、変形例４にかかる肩ベルトカバー１０によれば、接着布同士の係着位置を調整することで、肩ベルト１５０の周囲長に対応させた巻き付けが可能であり、肩ベルト１５０に対するフィット性を向上させて取付け後に使用者等の動きに追従してずれが生じるのを防止し、取付けの安定化を図ることができる。
【０１０４】
なお、本発明を実施する場合、肩ベルトカバー１０，１０Ａ，１０Ｂ，１０Ｃ，１０Ｄは、伸縮可能な素材を使用したり波型伸縮可能に縫製したりする等によって伸縮性を持たせることもできる。伸縮性を持たせることで、様々な取付け対象における一対の肩ベルト１５０の周囲長（ベルト幅）の違いが弾性によっても吸収できて幅広い寸法に合わせることができ、取付け自由度がより高くなる。また、伸縮により融通が利くので一対の肩ベルト１５０への取付け操作も容易となる。更に、肩ベルト１５０の周囲にフィットさせることができ、取付け後のずれを防止して安定した取付け状態が可能となる。
また、肩ベルトカバー１０，１０Ａ，１０Ｂ，１０Ｃ，１０Ｄには、抗菌性や防臭性を有するものの使用も好ましい。
【０１０５】
また、上記実施の形態の肩ベルトカバー１０、変形例１の肩ベルトカバー１０Ａ、変形例２の肩ベルトカバー１０Ｂの略長方形状の本体布１は、１：１以上、１：２以下のサイズ比とするのが好ましい。その比率内であれば、通常の使用状態では、ベビーキャリア、ベビーカー、チャイルドシート等の乳幼児が触れる生活環境の乳幼児用具及び機器の構成部品のサイズとの関係で、サイズの変更があっても２種類の寸法での対応が可能であり、肩ベルト１５０に対して安定した取付け状態が可能となる。特に、最大の比率の１０ｃｍと２０ｃｍのサイズとなっている場合には、本体布１に弾性を持たせるのが好適である。
【０１０６】
次に、本発明の実施の形態にかかる架橋パッド２０について、図４を参照して、説明する。
図４において、本実施の形態にかかる架橋パッド２０は、中央に位置する所定面積からなる略円形状（正確には、楕円形状）の本体部２１、及び、本体部２１の左右両側から外方向（放射方向または法線方向）に左右対称に突設し、一対の肩ベルトカバー１０のホック５Ａ，５Ｂからなる係合部に対応するホック５Ｃ，５Ｄからなる取付部を設けた一対の連結部２２からなるものであり、線対照に形成されている。
【０１０７】
架橋パッド２０の少なくとも本体部２１は、洗濯可能で吸水性に優れる生地、例えば、タオル地のようなパイル地、即ち、織物の片面または両面に毛羽や輪奈を織り出した生地や、ガーゼ地等からなる生地で形成される。タオル地のようなパイル地またはガーゼ地等からなる生地は洗濯が容易で度重なる洗濯によっても丈夫で型崩れし難い。更に、肌触りがよくて乳幼児に対しての刺激も少なく、乳幼児が触れた際にも違和感のない感触となり、不自然さがないものとなる。なお、本発明を実施する場合には、パイル地やガーゼ地のみでなく、複数毎の木綿、皮等で形成し、単一材料の使用のみでなく複合化させて使用することもできる。また、その枚数も縫い合わせ、折り重ねによって複数層とすることができ、更に、リバーシブル使用とすることもできる。
本実施の形態では、本体部２１及び一対の連結部２２は同一の生地で一体に形成されているが、本発明を実施する場合には、本体部２１と一対の連結部２２とを別布で形成し縫製によって一体化することも可能である。
【０１０８】
また、本実施の形態においては、ほつれを防止するために、架橋パッド２０の周囲には縫製したパイピング布２３でパイピング処理をしている。このパイピング処理は、布の端をバイヤステープや他の布でくるんでほつれ防止と装飾的な処理をするものである。袋縫い、折り伏せ縫い、割り伏せ縫い、本返し縫い等で端部を処理してもよい。
【０１０９】
なお、本発明を実施する場合、架橋パッド２０は、伸縮可能な素材を使用したり波型伸縮可能に縫製したりする等によって伸縮性を持たせるのが望ましい。伸縮性を有することで、乳幼児の正面側または背面側に架橋パッドを配置させる際に生じる一対の肩ベルト１５０間の間隔（寸法）の違いや、様々な取付け対象における一対の肩ベルト１５０間の間隔（寸法）の違いが弾性によっても吸収でき、幅広い寸法に合わせることができる。また、伸縮により融通が利くので一対の肩ベルト１５０への取付け操作も容易であり、取付けたときにも架橋パッド２０に皺やめくれが生じにくく、意匠性が良いものとなる。更に、伸縮性によって、汚れ防止の対象となる使用者Ｍの着衣やベビーキャリア等の乳幼児用具及び機器へのフィット性も高くなり、使用者の動作等にも追従して乳幼児の涎や汗等による汚れを確実に防ぐことができる。
しかし、架橋パッド２０を形成する生地が非伸縮性素材で構成されていても、係合部・取付部を複数個設けることで、その組み合わせにより上記寸法の違いにも対応でき、支障なく取付け可能である。
なお、パイル地、ガーゼ地、合成皮革等には弾性を持たせるのに好適である。
【０１１０】
更に、架橋パッド２０は、形成する生地をメッシュ構造にする等によって通気性を持たせることが望ましい。これにより、乳幼児Ｂや使用者Ｍの発汗対策、暑さ及び蒸れ対策、汗疹対策に効果的となる。また、抗菌性や防臭性を有するものの使用も好ましい。
【０１１１】
なお、架橋パッド２０の大きさは、一対の連結部２２を含めた長さを最大横幅長としたとき、通常、最大横幅長が２５ｃｍ〜３５ｃｍ程度となるような寸法サイズに設定されるが、伸縮性を持たせる場合には、それよりも小さい寸法に設定可能である。また、本体部２１の面積は、通常の涎かけと同等程度に設定することができる。
【０１１２】
そして、本体部２１の左右両側から外方向（放射方向または法線方向）に左右対称に突設した一対の連結部２２には、肩ベルトカバー１０のホック５Ａ、ホック５Ｂからなる係合部に対応した取付部としてのホック５Ｃ，５Ｄが設けられている。
図４において、このホック５Ｃ，５Ｄは、正面側が意匠パーツ５Ｃｆ，５Ｄｆで、裏面側が係合部の凹パーツ５Ａｈ，５Ｂｈに対応する凸パーツ５Ｃｇ，５Ｄｇとなっている。
【０１１３】
取付部の中心は、図４（ａ）に示すように、左右のホック５Ｃの中心を結ぶ直線Ｘ−Ｘ、左右のホック５Ｄの中心を結ぶ直線Ｘ’―Ｘ’が、架橋パッド２０の縦方向（半径方向）の中心線Ｒと交差する点を交差点Ｇ，Ｇ’としたとき、この交差点Ｇ，Ｇ’が中心線Ｒ及び上辺が交わる頂点Ａからの距離と、中心線Ｒ及び下辺が交わる底点Ｂからの距離との距離比で１：１〜１：４の範囲内の位置となるように設定されるのが好ましい。該範囲内とすることにより、左右のホック５Ｃの中心を結ぶ直線Ｘ−Ｘ、左右のホック５Ｄの中心を結ぶ直線Ｘ’―Ｘ’を境界としてその上下において本体部２１は適当な広さの吸水面積を確保でき、取付け方向が限定されることなく架橋パッド２０を上下反転させて使用することが可能である。よって、使い勝手がよく、例えば、乳幼児Ｂの唾液、涎、汗等によって架橋パッド２０の上下方向の片側のみが汚れた時でも、上下反転させてもう片方の面を使用することができ、利便性に優れる。
【０１１４】
このように本実施の形態の架橋パッド２０は、中央に位置し所定の面積からなる本体部２１及び本体部２１の左右両側から外方向に左右対称に突設し、表裏の少なくとも一方に、肩ベルトカバー１０の係合部としての凹パーツ５Ａｈ，５Ｂｈに取付け自在な取付部としてのホック５Ｃ，５Ｄの凸パーツ５Ｃｇ，５Ｄｇを設けた一対の連結部２２からなるものであり、取付部としてホック５Ｃ，５Ｄの凸パーツ５Ｃｇ，５Ｄｇを設けていることによって、肩ベルトカバー１０の係合部としてのホック５Ａ，５Ｂの凹パーツ５Ａｈ，５Ｂｈに取付け可能である。
【０１１５】
なお、本発明を実施する場合には、架橋パット２０を一対の肩ベルト１０に取付けるための一対の取付部としてのホックの凸パーツの個数やその位置は、上記に限定されるものではない。また、一対のホックの凸パーツを複数設けることによって、一対の肩ベルト間の間隔（寸法）や、使用者・乳幼児の体格、着衣の笠高さ、抱持姿勢、使用目的等に対応して架橋パット２０の位置を適切に調整できる。即ち、本実施の形態においては、肩ベルトカバー１０における係合部としてホック５Ａの凹パーツ５Ａｈ、ホック５Ｂの凹パーツ５Ｂｈの２つのホックの凹パーツが設けられており、更に、架橋パッド２０においてもこの凹パーツに対応する取付部として一対のホック５Ｃの凸パーツ５Ｃｇ、一対のホック５Ｄの凸パーツ５Ｄｇの２つのホックの凸パーツが設けられていることで、これらの組み合わせ方により架橋パッド２０の取付け位置を調整でき、汚れ防止プロテクターＰの使用目的、左右の肩ベルト１５０間の間隔（寸法）、使用者Ｍや乳幼児Ｂの体型、着衣の笠高さ、抱持姿勢等によって変動する乳幼児Ｂの配置に対応した適切な位置への架橋パッド２０の取付け調整が容易にできる。
しかし、本発明を実施する場合には、一対のホックの凸パーツが単数であっても構わない。また、表裏の両面に設けることも可能である。
【０１１６】
更に、上記実施の形態では、互いに係合可能な肩ベルト１０の係合部及び架橋パッド２０の取付部としてホック５Ａ，５Ｂ及びホック５Ｃ，５Ｄを使用していることで、取付け及び取り外し操作が容易である。目的等に応じて架橋パット２０の位置を変える時もその取付け調整が容易にできる。また、接着布（マジックテープ（登録商標））等のように洗濯の際に糸屑等が巻き付いて不潔感が生じたり、糸屑等によって取付け状態が外れやすくなったりすることがない。しかし、本発明を実施する場合には、ホックに限定されず、例えば、ドット釦、ボタン及びボタンホール、スナップボタン、接着布（マジックテープ（登録商標））、ファスナー等を使用することも可能である。
【０１１７】
なお、本実施の形態の架橋パッド２０においては、本体部２１は、所定面積の円形状に形成されていて、周囲が曲線形状に湾曲しており、角がないことによって、捲れにくくなっている。しかし、本発明を実施する場合には、本体部２１の形状は特に限定されることはなく、略四角形状、略三角形状等にすることも可能である。
【０１１８】
ここで、本実施の形態にかかる肩ベルトカバー１０及び架橋パッド２０からなる汚れ防止プロテクターＰが取付けられる乳幼児用具及び機器としてベビーキャリア１００を一例に挙げて説明する。
まず、ベビーキャリア１００の概略構成について、主に、図１９を参照して説明する。
【０１１９】
図１９において、ベビーキャリア１００は、使用者（抱持者）Ｍ側（図８及び図９参照）とは反対側の乳幼児Ｂの身体に対してあてがわれる内側布部１１０と、内側布部１１０の上部に一端が固着され、使用者（抱持者）Ｍ側の肩に回して他端を内側布部１１０の側部に固着される一対の肩ベルト１５０と、内側布部１１０の下部に一体に固着し、反対側の上部を分離自在とし、内側布部１１０に対して重ね合わせ及び分離自在とし、乳幼児Ｂの身体の背側にあてがわれる外側布部１２０と、外側布部１２０の下部及び内側布部１１０の下部を一体化して使用者（抱持者）Ｍ側の腰回りに配設する腰ベルト部１３０とを具備するものである。
【０１２０】
ベビーキャリア１００において、乳幼児を支持する本体としての内側布部１１０及び外側布部１２０は、乳幼児Ｂの身体にあてがわれ乳幼児Ｂの後頭部から背中、臀部までを支持するものであり、乳幼児Ｂを保護する部材である。
具体的に、内側布部１１０は、乳幼児Ｂを抱っこしたり、おんぶしたりしたとき、乳幼児Ｂの身体に対し使用者（抱持者）Ｍ側の反対側にあてがわれるものである。
また、外側布部１２０は、その下部が内側布部１１０の下部に縫い付けによって一体に取付けられ、上方に延びた辺が自由端となっており、即ち、上方が開口されるように延びており、内側布部１１０に対向する反対側に位置して内側布部１１０と分離されているが、その上端部に配設した一対のバックルの連結差込具１２１（図７（ｂ）参照）が、内側布部１１０の上部側に配設した一対のバックルの連結受具１１１（図７（ｂ）参照）に連結係合することにより、内側布部１１０に一体可能となっている。
【０１２１】
内側布部１１０は、その上下の長さが、平均的な乳幼児Ｂの胴体の長さ程度に形成され、左右の幅が平均的な乳幼児Ｂの胴体の幅に形成されており、下部側の幅方向両側には、中央付近に水平方向の幅を狭くする切り欠きのピーク位置がくるように弧状に切り欠かれていて、乳幼児Ｂの脚の股がベビーキャリア１００から容易に出るように脚案内口１１２を設けている。したがって、内側布部１１０の水平方向の横幅は、脚案内口１１２の切り欠きのピーク位置で最小の距離となっており、内側布部１１０を乳幼児Ｂの腹側にあてたとき（即ち、乳幼児Ｂを前向きだっこまたは後ろ向きおんぶをしたとき）、切り欠きのピーク位置が乳幼児Ｂの脚の付け根に近い位置となるように、自然の脚位置から脚案内口１１２が定められている。
これに対して、外側布部１２０は脚案内口１１２を形成していない略四角形の生地となっており、内側に内側布部１１０が配設されているから、乳幼児Ｂとの間に空隙が形成されないように弾性を持たせた仕上げとなっている。この外側布部１２０の水平方向の横幅は、乳幼児Ｂの背後の臀部の周囲長から決定されている。したがって、その横幅の距離は、内側布部１１０の切り欠きのピーク位置での横幅距離よりも大きくなっている。
そして、機械的強度は、内側布部１１０に乳幼児Ｂの全ての重量を負担させることができるようしている。
【０１２２】
また、内側布部１１０の下部に縫い付けられた腰ベルト部１３０は、使用者（抱持者）Ｍの腰にベルト１３１を巻いて、その端部に配設されているバックルの連結差込具１３２及び連結受具１３３を連結係合させることによって、親の腰回りに固定され、人為的にバックルの連結差込具１３２と連結受具１３１との連結係合を解かない限り外れなくなっている。
なお、腰ベルト部１３０には、外側布部１２０を格納する格納部１４０が設けられており、外側布部１２０を使用しないとき（具体的には、乳幼児Ｂを前向きだっこまたは後ろ向きおんぶをするとき）に、連結差込具１２１及び連結受具１１１による内側布部１１０と外側布部１２０との一対の係合を解いて外側布部１２０をその上部側から折り畳んでまたは巻き込んで、それを上部から挿入自在のポケット状の格納部１４０に収納できるようになっている。
【０１２３】
内側布部１１０の上部左右に取付けられた左右一対の肩ベルト１５０は、左右の肩ベルト１５０相互間の距離（左肩ベルトと右肩ベルトの間隔）を調整保持する肩ベルト調整部１６０を設けており、左右の肩ベルト１５０を肩に掛けた状態で、左肩ベルト調整部１６０に配設した連結差込具１６１と右肩ベルト調整部１６０に配設した連結受具１６２が接続されると、肩ベルト調整部１６０の長さによって、左右の肩ベルト１５０が肩から外れることがなくなるようになっている。また、肩ベルト調整部１６０は、左右の肩ベルト１５０のそれぞれに平行して配設されているスライドベルト１６３により摺動自在となっており、肩ベルト調整部１６０の位置が移動自在となっている。更に、左右の肩ベルト１５０のそれぞれには、その長さを調節できるアジャスタを配設した調節ベルト１６４が取付けられており、左右の肩ベルト１５０の長さが調節自在となっている。
【０１２４】
このような構成によって、乳幼児Ｂが使用者（抱持者）Ｍの顔と相向き会う対面抱きのとき（図１０参照）または乳幼児Ｂの顔が使用者（抱持者）Ｍの後頭部に向く前向きおんぶのとき（図１２参照）には、内側布部１１０と外側布部１２０を一体に重ねた状態で乳幼児Ｂの身体の背側にあてがい、腰ベルト部１３０のベルト１３１を使用者（抱持者）Ｍの腰に配置させて連結差込具１３２及び連結受具１３３を連結係合させる。この状態で、左右の肩ベルト１５０の何れか一方を肩にかけ、乳幼児Ｂを使用者（抱持者）Ｍ側を正面として内側布部１１０の脚案内口１１２付近に臀部をおいて座らせ、位置決めしたところで、左右の肩ベルト１５０の他方を肩にかけると、乳幼児Ｂを相向きあいに抱く（図１０参照）または乳幼児Ｂの顔が使用者（抱持者）Ｍの後頭部に向くようにおんぶする（図１２参照）ことができる。
【０１２５】
また、乳幼児Ｂと使用者（抱持者）Ｍとが同一方向を向く前向き抱きのとき（図１１参照）または乳幼児Ｂが使用者（抱持者）Ｍに背を向ける後ろ向きおんぶのとき（図１３参照）には、外側布部１２０を格納部１４０に格納し、腰ベルト部１３０のベルト１３１を使用者（抱持者）Ｍの腰に配置させて連結差込具１３２及び連結受具１３１を連結係合させる。ここで、左右の肩ベルト１５０の何れか一方を肩にかけ、その状態で乳幼児Ｂを使用者（抱持者）Ｍ側を背面として内側布部１１０の脚案内口１１２から脚を出して座らせ、位置決めしたところで、左右の肩ベルト１５０の他方を肩にかけると、乳幼児Ｂを使用者（抱持者）Ｍと同一方向を向くように抱く（図１１参照）または乳幼児Ｂを使用者（抱持者）Ｍと反対方向を向くようにおんぶする（図１３参照）ことができる。
【０１２６】
次に、肩ベルトカバー１０及び架橋パッド２０からなる汚れ防止プロテクターＰのベビーキャリアへ１００の取付け態様について、図５乃至図１３を参照して、説明する。
まず、肩ベルトカバー１０を肩ベルト１５０に取付ける場合においては、ベビーキャリア１００の肩ベルト１５０の周囲長に近似する長さを肩ベルトカバー１０の本体布１の横幅または縦幅から選択し、ベビーキャリア１００の左右の肩ベルト１５０に取付けたい任意の場所にそれを位置させる。
【０１２７】
ここで、例えば、辺１ａ及び辺１ｃの長さが肩ベルト１５０の周囲長に近似しているとすると、辺１ａ及び辺１ｃを肩ベルト１５０に直角に交差させ、次に、図２に示したように、ホック４ｄの本体布１側を肩ベルト１５０の略中心部まで折り曲げ、裏面側にあるホック４ｄの凹パーツ４ｄｈを表面側に出し、そこに、ホック４ａ側の本体布１を肩ベルト１５０の略中心部まで折り曲げ、表面側にあるホック４ａの凸パーツ４ａｇをホック４ｄの凹パーツ４ｄｈに重ねて係合し、ホック４ａの意匠パーツ４ａｆを表面に露出させる。次に、ホック４ｂ側の本体布１を肩ベルト１５０の略中心部まで折り曲げ、裏面側にあるホック４ｂの凹パーツ４ｂｈを表面側に出し、そこに、ホック４ｃ側の本体布１を肩ベルト１５０の略中心部まで折り曲げ、表面側にあるホック４ｃの凸パーツ４ｃｇをホック４ｂの凹パーツ４ｂｈに重ね係合し、ホック４ｃの意匠パーツ４ｃｆを表面に露出させる。
【０１２８】
こうして、図５に示すように、肩ベルトカバー１０を肩ベルト１５０に巻き付け、ホック４ａとホック４ｄとの接合、及び、ホック４ｂとホック４ｃとの接合によって、肩ベルトカバー１０を肩ベルト１５０に取付け、その状態を固定することができる。そして、人為的にホック４ａの凸パーツ４ａｇとホック４ｄの凹パーツ４ｄｈとの連結係及びホック４ｂの凹パーツ４ｂｈとホック４ｃの凸パーツ４ｃｇとの連結係合を解かない限り容易に外れなくなっている。
【０１２９】
特に、本実施の形態の肩ベルトカバー１０においては、左右方向の２辺（辺１ｂと辺１ｄ）または上下方向の２辺（辺１ａと辺１ｃ）の２パターンで、互いに対向する２辺（辺１ａと辺１ｃまたは辺１ｂと辺１ｄ）を肩ベルト１５０の略中心部で接近させ、接合具としてのホック４ａ，４ｂ，４ｃ，４ｄによって互いに対向する端部を接合させることで肩ベルト１５０に対して取付け可能な寸法を２種類に設定でき、取付け対象が異なる２種類の周囲の長さに対しても辺１ａ及び辺１ｃ側または辺１ｂ及び辺１ｄ側で対応可能である。そして、肩ベルト１５０の周囲の長さ（ベルト幅）寸法に対応させる取付け選択肢が２種類あることで、肩ベルト１５０の周囲長に近似する長さを選択した取り付けが可能であり、肩ベルト１５０へのフィット性を向上させて取付け後に使用者等の動きに追従してずれが生じるのを防止し、取付けの安定化を図ることができる。
【０１３０】
また、本実施の形態の肩ベルトカバー１０においては、図２及び図５に示すように、一方の接合具の意匠側（ここでは、ホック４ｂの意匠パーツ４ｂｆ）を内側に入れ、その表面側に同一辺上の接合具の係合側（ここでは、ホック４ａの凸パーツ４ａｇ）を重ねて係合し、また、対向辺の接合具の意匠側（ここでは、ホック４ｄの意匠パーツ４ｄｆ）を内側に入れ、その表面側に同一辺上の接合具の係合側（ここでは、ホック４ｃの凸パーツ４ｃｇ）を重ねて係合することによって肩ベルト１５０に取付けることができ、取付けた肩ベルト１５０に接触する肩ベルトカバー１０の内側の面には、接合具の意匠側（ここでは、ホック４ｂの意匠パーツ４ｂｆ及びホック４ｄの意匠パーツ４ｄｆ）が位置することから、肩ベルト１５０側を傷つけることがない。
更に、肩ベルトカバー１０の外側の表面にも同様に接合具の意匠側（ここでは、ホック４ａの意匠パーツ４ａｆ及びホック４ｃの意匠パーツ４ｃｆ）が位置することから、乳幼児の唇や舌を怪我させることがない。
【０１３１】
そして、この肩ベルトカバー１０の肩ベルト１５０への取付け状態においては、ホック４ａの意匠パーツ４ａｆの近くに配設したホック５Ａの凹パーツ５Ａｈ及びホック４ｃの意匠パーツ４ｃｆの近くに配設したホック５Ｂの凹パーツ５Ｂｈが表面側に露出する。
【０１３２】
そこで、架橋パッド２０を肩ベルトカバー１０に取付ける場合においては、図５乃至図７に示すように、架橋パッド２０の一対のホック５Ｃの凸パーツ５Ｃｇ、または、ホック５Ｄの凸パーツ５Ｄｇを、一対の肩ベルトカバー１０において肩ベルト１５０への取付け状態で表面側に露出するホック５Ａの凹パーツ５Ａｈ、または、ホック５Ｂの凹パーツ５Ｂｈに重ねて係合することによって、接合する。これによって、肩ベルト１５０に取付けた一対の肩ベルトカバー１０間に架橋パッド２０が架け渡されて取付けられ、その状態で固定される。そして、通常は、人為的にホック５Ｃの凸パーツ５Ｃｇ、ホック５Ｄの凸パーツ５Ｄｇとホック５Ａの凹パーツ５Ａｈ、ホック５Ｂの凹パーツ５Ｂｈとの連結係合を解かない限り外れなくなっている。
【０１３３】
なお、図５乃至図７においては、肩ベルトカバー１０及び架橋パッド２０からなる汚れ防止プロテクターＰのベビーキャリア１００への取付け態様の一例として、一対の肩ベルトカバー１０を、左右の肩ベルト１５０の下端部（内側布部１１０との境界付近）に取付け、架橋パッド２０の一対のホック５Ｄの凸パーツ５Ｄｇを、一対の肩ベルトカバー１０のホック５Ｂの凹パーツ５Ｂｈに重ねて係合した接合状態を示した。
【０１３４】
ここで、図８及び図１０（ａ）に示すように、乳幼児Ｂが使用者（抱持する者）Ｍの顔と相向き会う対面抱きをする場合において、使用者Ｍの胸元付近と乳幼児Ｂの口元付近と間に架橋パッド２０が配置するように、一対の肩ベルト１５０において使用者Ｍの胸元近くの乳幼児Ｂの口元が触れやすい位置に左右一対の肩ベルトカバー１０をホック４ａ，４ｂ，４ｃ，４ｄの接合により取付け、更に、左右一対の肩ベルトカバー１０のホック５Ａの凹パーツ５Ａｈまたはホック５Ｂの凹パーツ５Ｂｈ（図８及び図１０（ａ）においては、符号及び記号は省略されているが、ホック５Ａの凹パーツ５Ａｈ側）に架橋パッド２０のホック５Ｃの凸パーツ５Ｃｇまたはホック５Ｄの凸パーツ５Ｄｇ（図８及び図１０（ａ）においては、符号及び記号は省略されているが、ホック５Ｃの凸パーツ５Ｃｇ側）を取付けて、一対の肩ベルトカバー１０間に架橋パッド２０を架け渡す。
そうすると、左右一対の肩ベルト１５０に取付けられた左右一対の肩ベルトカバー１０により、乳幼児Ｂは直接肩ベルト１５０を舐めることがなくなり、肩ベルトカバー１０を舐めることになるから、肩ベルト１５０が汚れるのが防止される。同時に、左右一対の肩ベルトカバー１０間に架け渡された架橋パッド２０によって、乳幼児Ｂの涎を受けることができ、乳幼児Ｂの涎で使用者Ｍの着衣が汚れるのが防止される。
【０１３５】
また、この取付け態様に限らず、図９及び図１０（ｂ）に示すように、乳幼児Ｂの後頭部から背中にかけてとベビーキャリア１００本体の内側布部１１０との間に架橋パッド２０が配置するように、左右一対の肩ベルト１５０の乳幼児Ｂの口元が触れやすい位置に左右一対の肩ベルトカバー１０をホック４ａ，４ｂ，４ｃ，４ｄの接合により取付け、更に、左右一対の肩ベルトカバー１０のホック５Ａの凹パーツ５Ａｈまたはホック５Ｂの凹パーツ５Ｂｈ（図９及び図１０（ｂ）においては、符号及び記号は省略されているが、ホック５Ｂの凹パーツ５Ｂｈ側）に架橋パッド２０のホック５Ｃの凸パーツ５Ｃｇまたはホック５Ｄの凸パーツ５Ｄｇ（図９及び図１０（ｂ）においては、符号及び記号は省略されているが、ホック５Ｄの凸パーツ５Ｄｇ側）を取付けて、左右一対の肩ベルトカバー１０間に架橋パッド２０を架け渡す。
そうすると、肩ベルト１５０に取付けられた肩ベルトカバー１０により、乳幼児Ｂは直接肩ベルト１５０を舐めることがなくなり、肩ベルトカバー１０を舐めることになるから、肩ベルト１５０が汚れるのが防止される。同時に、左右の肩ベルトカバー１０間に架け渡された架橋パッド２０によって、乳幼児の頭部から背中における汗や脂を受けることができ、ベビーキャリア１００本体（ここでは、内側布部１１０）が汚れるのを防止できる。特に気温が高い夏場には、乳幼児Ｂの背中にベビーキャリア１００の本体の内側布部１１０及び外側布部１２０があてがわれることで、乳幼児Ｂの汗等により蒸れが生じやすいが、吸水性（吸湿性）の生地からなる架橋パッド２０によって、乳幼児Ｂから発汗した汗は速やかに吸収される。そのため、暑さや蒸れは軽減され、汗疹の発生を防止できる。一方で、冬場には、乳幼児Ｂの背中を温めたり保温したりする機能を果たす。
【０１３６】
図１１（ａ）に示すように、乳幼児Ｂと使用者Ｍとが同一方向を向く前向き抱きのときにおいては、乳幼児の口元がベビーキャリア１００本体の内側布部１１０の上辺縁部（上端部を折り返して使用する場合には、その折返し部）に触れやすいことから、乳幼児Ｂの口元付近とベビーキャリア１本体の内側布部１１０の上部との間に架橋パッド２０が配置するように、左右一対の肩ベルト１５０の下部側に左右一対の肩ベルトカバー１０をホック４ａ，４ｂ，４ｃ，４ｄの接合により取付け、更に、左右一対の肩ベルトカバー１０のホック５Ａの凹パーツ５Ａｈまたはホック５Ｂの凹パーツ５Ｂｈ（図１１（ａ）においては、符号及び記号は省略されているが、ホック５Ｂの凹パーツ５Ｂｈ側）に架橋パッド２０のホック５Ｃの凸パーツ５Ｃｇまたはホック５Ｄの凸パーツ５Ｄｇ（図１１（ａ）においては、符号及び記号は省略されているが、ホック５Ｄの凸パーツ５Ｄｇ側）を取付けて、左右一対の肩ベルトカバー１０間に架橋パッド２０を架け渡す。なお、必要に応じて内側布部１１０と共に、架橋パッド２０の上部は下方に折り返される。
乳幼児Ｂと使用者Ｍとが同一方向を向く前向き抱きの場合、乳幼児Ｂの口元がベビーキャリア１００本体の上辺縁部（ここでは内側布部１１０の上辺縁部）に触れやすいが、架橋パッド２０によりベビーキャリア１００本体の上辺縁部（ここでは内側布部１１０の上辺縁部）が覆われることによって、乳幼児Ｂは直接ベビーキャリア１００本体の内側布部１１０を舐めることができず、架橋バッド２０を舐めることになる。更には、架橋パッド２０によって乳幼児Ｂの涎を受けることもできる。よって、ベビーキャリア１００本体の内側布部１１０が汚れるのが防止される。
【０１３７】
また、この取付け態様に限らず、図１１（ｂ）に示すように、乳幼児Ｂの後頭部から背中にかけてと使用者Ｍの胸元付近との間に架橋パッド２０が配置するように、左右一対の肩ベルト１５０において使用者（抱持者）Ｍの胸元近くの位置に一対、左右一対の肩ベルトカバー１０をホック４ａ，４ｂ，４ｃ，４ｄの接合により取付け、更に、左右一対の肩ベルトカバー１０のホック５Ａの凹パーツ５Ａｈまたはホック５Ｂの凹パーツ５Ｂｈ（図１１（ｂ）においては、符号及び記号は省略されているが、ホック５Ａの凹パーツ５Ａｈ側）に架橋パッド２０のホック５Ｃの凸パーツ５Ｃｇまたはホック５Ｄの凸パーツ５Ｄｇ（図１１（ｂ）においては、符号及び記号は省略されているが、ホック５Ｃの凸パーツ５Ｃｇ側）を取付けて、左右一対の肩ベルトカバー１０間に架橋パッド２０を架け渡す。
そうすると、左右一対の肩ベルトカバー１０間に架け渡された架橋パッド２０によって、乳幼児の頭部から背中における汗や脂を受けることができ、乳幼児の汗や脂で使用者Ｍの胸元側の着衣が汚れるのを防止できる。特に、気温が高い夏場には、乳幼児Ｂの背中と使用者Ｍの胸元が密着することで互いの汗等により蒸れが生じやすいが、吸水性（吸湿性）の生地からなる架橋パッド２０によって、乳幼児Ｂや使用者Ｍから発汗した汗は速やかに吸収される。これより、暑さや蒸れは軽減され、汗疹の発生を防止でき、快適に乳幼児を抱持できる。一方で、冬場には、乳幼児Ｂや使用者Ｍの密着による保温効果を維持するとして有効である。
【０１３８】
更に、図１２（ａ）に示すように、乳幼児Ｂの顔が使用者Ｍの後頭部に向くおんぶ抱きのときにおいて、乳幼児Ｂの口元付近と使用者Ｍの背中と間に架橋パッド２０が配置するように、左右一対の肩ベルト１５０の乳幼児Ｂの口元が触れやすい位置に左右一対の肩ベルトカバー１０をホック４ａ，４ｂ，４ｃ，４ｄの接合により取付け、更に、左右一対の肩ベルトカバー１０のホック５Ａの凹パーツ５Ａｈまたはホック５Ｂの凹パーツ５Ｂｈ（図１２（ａ）においては、符号及び記号は省略されているが、ホック５Ａの凹パーツ５Ａｈ側）に架橋パッド２０のホック５Ｃの凸パーツ５Ｃｇまたはホック５Ｄの凸パーツ５Ｄｇ（図１２（ａ）においては、符号及び記号は省略されているが、ホック５Ｃの凸パーツ５Ｃｇ側）を取付けて、左右一対の肩ベルトカバー１０間に架橋パッド２０を架け渡す。
そうすると、肩ベルト１５０に取付けられた肩ベルトカバー１０により、乳幼児Ｂは直接肩ベルト１５０を舐めることがなくなり、肩ベルトカバー１０を舐めることになるから、肩ベルト１５０が汚れるのが防止される。同時に、左右の肩ベルトカバー１０間に架け渡された架橋パッド２０によって、乳幼児Ｂの涎を受けることができ、乳幼児Ｂの涎で使用者Ｍの背中側の着衣が汚れるのが防止される。
【０１３９】
また、この取付け態様に限らず、図１２（ｂ）に示すように、乳幼児Ｂの後頭部から背中付近にかけてとベビーキャリア１本体の内側布部１１０との間に架橋パッド２０が配置するように、左右一対の肩ベルト１５０の乳幼児Ｂの口元が触れやすい位置に左右一対の肩ベルトカバー１０をホック４ａ，４ｂ，４ｃ，４ｄの接合により取付け、更に、左右一対の肩ベルトカバー１０のホック５Ａの凹パーツ５Ａｈまたはホック５Ｂの凹パーツ５Ｂｈ（図１２（ｂ）においては、符号及び記号は省略されているが、ホック５Ｂの凹パーツ５Ｂｈ側）に架橋パッド２０のホック５Ｃの凸パーツ５Ｃｇまたはホック５Ｄの凸パーツ５Ｄｇ（図１２（ｂ）においては、符号及び記号は省略されているが、ホック５Ｄの凸パーツ５Ｄｇ側）を取付けて、一対の肩ベルトカバー１０間に架橋パッド２０を架け渡す。
そうすると、肩ベルト１５０に取付けられた肩ベルトカバー１０により、乳幼児Ｂは直接肩ベルト１５０を舐めることがなくなり、肩ベルトカバー１０を舐めることになるから、肩ベルト１５０が汚れるのが防止される。同時に、左右一対の肩ベルトカバー１０間に架け渡された架橋パッド２０によって、乳幼児の頭部から背中における汗や脂を受けることができ、ベビーキャリア１本体（ここでは、内側布部１１０）が汚れるのを防止できる。特に気温が高い夏場には、乳幼児Ｂの背中にベビーキャリア１本体の内側布部１１０及び外側布部１２０があてがわれることで、乳幼児Ｂの汗等により蒸れが生じやすいが、吸水性（吸湿性）の生地からなる架橋パッド２０によって、乳幼児Ｂから発汗した汗は速やかに吸収される。そのため、暑さや蒸れは軽減され、汗疹の発生を防止できる。また、冬場には、乳幼児Ｂの背中を温めたり保温したりする機能を果たす。
【０１４０】
加えて、図１３（ａ）に示すように、乳幼児Ｂが使用者Ｍに背を向ける後ろ向きおんぶのときにおいては、乳幼児の口元がベビーキャリア１００本体の内側布部１１０の上辺縁部（上端部を折り返して使用する場合には、その折返し部）に触れやすいことから乳幼児Ｂの口元付近とベビーキャリア１の内側布部１１０の上部との間に架橋パッド２０が配置するように、左右一対の肩ベルト１５０の下部側に左右一対の肩ベルトカバー１０をホック４ａ，４ｂ，４ｃ，４ｄの接合により取付け、更に、左右一対の肩ベルトカバー１０のホック５Ａの凹パーツ５Ａｈまたはホック５Ｂの凹パーツ５Ｂｈ（図１３（ａ）においては、符号及び記号は省略されているが、ホック５Ｂの凹パーツ５Ｂｈ側）に架橋パッド２０のホック５Ｃの凸パーツ５Ｃｇまたはホック５Ｄの凸パーツ５Ｄｇ（図１２（ａ）においては、符号及び記号は省略されているが、ホック５Ｄの凸パーツ５Ｄｇ）を取付けて、左右一対の肩ベルトカバー１０間に架橋パッド２０を架け渡す。なお、必要に応じて内側布部１１０と共に、架橋パッド２０の上部は下方に折り返される。
乳幼児Ｂが使用者Ｍに背を向ける後ろ向きおんぶの場合、乳幼児Ｂの口元がベビーキャリア１００本体の上辺縁部（ここでは内側布部１１０の上辺縁部）に触れやすいが、架橋パッド２０によりベビーキャリア１００本体の上辺縁部（ここでは内側布部１１０の上辺縁部）が覆われることによって、乳幼児Ｂは直接ベビーキャリア１００本体の内側布部１１０を舐めることができず、架橋バッド２０を舐めることになる。更には、架橋パッド２０によって乳幼児Ｂの涎を受けることもできる。よって、ベビーキャリア１００本体の内側布部１１０が汚れるのが防止される。
【０１４１】
また、この取付け態様に限らず、図１３（ｂ）に示すように、乳幼児Ｂの後頭部から背中にかけてと使用者Ｍの背中との間に架橋パッド２０が配置するように、左右一対の肩ベルト１５０の背中側の位置に左右一対の肩ベルトカバー１０をホック４ａ，４ｂ，４ｃ，４ｄの接合により取付け、更に、左右一対の肩ベルトカバー１０のホック５Ａの凹パーツ５Ａｈまたはホック５Ｂの凹パーツ５Ｂｈ（図１３（ｂ）においては、符号及び記号は省略されているが、ホック５Ａの凹パーツ５Ａｈ側）に架橋パッド２０のホック５Ｃの凸パーツ５Ｃｇまたはホック５Ｄの凸パーツ５Ｄｇ（図１３（ｂ）においては、符号及び記号は省略されているが、ホック５Ｃの凸パーツ５Ｃｇ側）を取付けて、左右一対の肩ベルトカバー１０間に架橋パッド２０を架け渡す。
そうすると、左右の肩ベルトカバー１０間に架け渡された架橋パッド２０によって、乳幼児の頭部から背中における汗や脂を受けることができ、乳幼児の汗や脂で使用者Ｍの背中側の着衣が汚れるのを防止できる。特に、気温が高い夏場には、乳幼児Ｂの背中と使用者Ｍの背中が密着することで互いの汗等により蒸れが生じやすいが、吸水性（吸湿性）の生地からなる架橋パッド２０によって、乳幼児Ｂや使用者Ｍから発汗した汗は速やかに吸収される。そのため、暑さや蒸れは軽減され、汗疹の発生を防止でき、快適に抱持できる。一方で、冬場には、密着による保温効果を維持するとして有効である。
【０１４２】
こうして、左右一対の肩ベルト１５０に取り付けられる左右一対の肩ベルトカバー１０及び左右一対の肩ベルトカバー１０間に取り付けられる架橋パッド２０によって、ベビーキャリア１００の肩ベルト１５０や本体（ここでは内側布部１１０）の汚れが防止されることで、肩ベルト１５０や本体（ここでは内側布部１１０）への汚れの付着で生じる変色や悪臭の発生は防止される。
そして、肩ベルトカバー１０や架橋パッド２０が汚れたときには、それらを簡単に取り外して洗濯することができ、清潔さを保つことができる。肩ベルトカバー１０や架橋パッド２０を取り外して洗濯できることで、ベビーキャリア１００の洗濯に伴う手間が省かれ、また、型崩れ、生地の傷み、色落ち等も防止できる。同時に、肩ベルトカバー１０や架橋パッド２０を洗濯によって常に清潔に保つことで、乳幼児Ｂの涎、汗等が付着することや、乳幼児Ｂが舐めることによる不潔感、不衛生感も解消させることができる。
【０１４３】
なお、上記説明では、肩ベルト１５０上における肩ベルトカバー１０の取付位置や、肩ベルトカバー１０の係合部としてのホック５Ａの凹パーツ５Ａｈ，５Ｂの凹パーツ５Ｂｈと架橋パッド２０の取付部としてのホック５Ｃの凸パーツ５Ｃｇ，５Ｄの凸パーツ５Ｄｇとの接合関係（組み合わせ）を調整することにより、架橋パッド２０の配置を変更しているが、例えば、肩ベルトカバー１０の係合部及び架橋パッド２０の取付部が単数の場合には、肩ベルトカバー１０の取付け位置を変動させるほか、肩ベルトカバー１０を上下反転させて肩ベルトカバー１０の取付け向きを変更することによって肩ベルト１５０上における肩ベルトカバー１０の係合部の位置を変えても、これに接合する架橋パッド２０の配置を変更することができる。
また、図６乃至図１３においては、肩ベルトカバー１０の接合具としてのホック４ａ，４ｂ，４ｃ，４ｄによる接合側が使用者（抱持者）側（裏面側）の位置にくるように肩ベルトカバー１０を肩ベルト１５０に巻きつけ、架橋パッド２０が取付けられる取付け側も使用者Ｍ側の位置に配置させることによって、図７（ｂ）に示すように、使用者Ｍ側とは反対側の正面からみたときに肩ベルトカバー１０の接合状態及び架橋パッド２０の取付状態を第３者から見えなくし、意匠性がよいものとしている。しかし、取付け形態はこれに限らず、肩ベルト１５０の厚み、左右の肩ベルト１５０間の間隔（寸法）、使用者Ｍや乳幼児Ｂの体型、抱持姿勢等の違いにより差が生じる使用者Ｍと乳幼児Ｂの位置関係によっては、肩ベルトカバー１０の接合具としてのホック４ａ，４ｂ，４ｃ，４ｄによる係合側が使用者Ｍ側とは反対側の正面側の位置にくるように肩ベルトカバー１０を肩ベルト１５０に巻きつけ、架橋パッド２０が取付けられる取付け側も使用者Ｍ側とは反対側の正面側に配置させることで、架橋パッド２０を適切な位置に取付けることができる。
【０１４４】
このように、本実施の形態にかかる汚れ防止プロテクターＰは、肩ベルトカバー１０と架橋パッド２０が別体に形成されていて、接合及び分離自在な接合具としてのホック４ａ，４ｂ，４ｃ，４ｄによって取付け対象の任意の位置に肩ベルトカバー１０を取付け、更に、この肩ベルトカバー１０の係合部のホック５Ａの凹パーツ５Ａｈ，５Ｂの凹パーツ５Ｂｈに対して、架橋パッドの取付部のホック５Ｃの凸パーツ５Ｃｇ，５Ｄの凸パーツ５Ｄｇを係合することにより、左右一対の肩ベルトカバー１０間に架橋パッド２０を取付ける構造であり、取付け対象の任意の位置に取付け可能な肩ベルトカバー１０を介して架橋パッド２０を取付けるものであることから、ベビーキャリアの種類やメーカ等による左右の肩掛けベルト１５０の間隔（寸法）、キャリア本体の大きさや形態等の違いにも対応でき、様々な形態の既存のベビーキャリアに対して適用させて取付けることが可能である。
【０１４５】
また、ベビーキャリアのみならず、ベビーカー、チャイルドシート（ベビーシート）、買い物用カート、ベビーベット、室内ブランコ、幼児用椅子等の乳幼児が触れる生活環境の乳幼児用具及び機器等における肩ベルト、これらは、通常、乳幼児Ｂの肩周りに装着されるが、これらの肩ベルトに対しても一対の肩ベルトカバー１０を取付け、更に一対の肩ベルトカバー１０間に架橋パッド２０を取付けることができる。また、取付対象の肩ベルトがベビーキャリア１００のように布地で形成されたものに限らず、木材柱、金属柱、可撓性のベルト等でも取付け可能である。特に、本実施の形態にかかる肩ベルトカバー１０は、肩ベルト１５０に対して取付け可能な寸法を２種類に設定でき、幅広い寸法に対応できる。
【０１４６】
例えば、図１４に示すように、ベビーカー２００の左右一対の肩ベルト１５０の乳幼児Ｂの口元が触れやすい位置に、左右一対の肩ベルトカバー１０をホック４ａ，４ｂ，４ｃ，４ｄの接合により取付け、更に、左右一対の肩ベルトカバー１０のホック５Ａの凹パーツ５Ａｈまたはホック５Ｂの凹パーツ５Ｂｈ（図１４においては、符号及び記号は省略されているが、ホック５Ｂの凹パーツ５Ｂｈ側）に架橋パッド２０のホック５Ｃの凸パーツ５Ｃｇまたはホック５Ｄの凸パーツ５Ｄｇ（図１４においては、符号及び記号は省略されているが、ホック５Ｃの凸パーツ５Ｃｇ側）を取付けて、左右一対の肩ベルトカバー１０間に架橋パッド２０を架け渡し、乳幼児Ｂの正面側の胸元付近に架橋パッド２０を取付けることで、乳幼児Ｂが直接ベビーカー２００の肩ベルト１５０を舐めることがなくなり、肩ベルトカバー１０を舐めることになるから、肩ベルト１５０が汚れるのが防止される。更に、左右一対の肩ベルトカバー１０間に架け渡された架橋パッド２０によって、乳幼児Ｂの涎を受けることができ、乳幼児Ｂの涎かけとしても機能する。なお、ここでは、肩ベルト１５０が乳幼児Ｂの肩周りに装着されるため、乳幼児Ｂは使用者Ｍともいえる。
【０１４７】
また、図示は省略するが、肩ベルト１５０上の肩ベルトカバー１０の取付け位置や、肩ベルトカバー１０のホック５Ａの凹パーツ５Ａｈまたはホック５Ｂの凹パーツ５Ｂｈと架橋パッド２０のホック５Ｃの凸パーツ５Ｃｇまたはホック５Ｄの凸パーツ５Ｄｇとの接合関係（組み合わせ）を調整して、架橋パッド２０を乳幼児Ｂの後頭部から背中にかけて配置するように取付けることで、乳幼児Ｂの頭部から背中における汗や脂を受けることができ、ベビーカー２００の背もたれ２０１が汚れるのを防止することもできる。特に気温が高い夏場には、乳幼児Ｂの背中と背もたれ２０１とが密着することで、乳幼児Ｂの汗等により蒸れが生じやすいが、吸水性（吸湿性）の生地からなる架橋パッド２０によって、乳幼児Ｂから発汗した汗は速やかに吸収される。そのため、暑さや蒸れは軽減され、汗疹の発生が防止できる。また、冬場には、乳幼児の背中を温めたり保温したりする機能を果たすとして有効である。
【０１４８】
こうして、ベビーカー２００等の乳幼児用具及び機器においても、左右一対の肩ベルト１５０に取り付けられる左右一対の肩ベルトカバー１０及び左右一対の肩ベルトカバー１０間に取り付けられる架橋パッド２０によって、乳幼児用具及び機器の肩ベルト１５０や本体等の汚れを防止でき、肩ベルト１５０や本体等への汚れの付着で生じる変色や悪臭の発生を防止できる。特に、ベビーカー２００やチャイルドシート等の乳幼児用具及び機器は、通常、その肩ベルト１５０や乳幼児Ｂを支持する本体（背もたれ２０１等）を取り外して洗濯することが困難であり、親等は、乳幼児Ｂの舐める行為や涎や汗等による不潔感、不衛生感を抱くことが多かった。中でも、買い物用カート等の乳幼児用具及び機器は不特定多数の人が使用するものであり、乳幼児Ｂの舐める行為や涎や汗等による不潔感、不衛生感を気にする人も多い。しかし、これら乳幼児用具及び機器に肩ベルトカバー１０及び架橋パッド２０を取付けることで、乳幼児用具及び機器の肩ベルト１５０や本体等の汚れを防止できる。また、それらは簡単に取り外して洗濯できることから、清潔さを保つことができ、乳幼児Ｂの涎、汗等が付着することや舐める行為による不潔感、不衛生感を解消させることができる。
【０１４９】
このように、本実施の形態にかかる汚れ防止プロテクターＰは、取付け対象の任意の位置に取付け可能な肩ベルトカバー１０を介して架橋パッド２０を取付け、肩ベルトカバー１０及び架橋パッド２０によって乳幼児Ｂの唾液、涎、汗等を受けて取付け対象や使用者Ｍの着衣が汚れるのを防止できる。肩ベルトカバー１０や架橋パッド２０が汚れたときには、それらを取り外して洗濯することで、清潔さを保つことができる。
そして、本実施の形態にかかる汚れ防止プロテクターＰは、接合及び分離自在な接合具としてのホック４ａ，４ｂ，４ｃ，４ｄによって取付け対象の任意の位置に肩ベルトカバー１０を取付け、更に、この肩ベルトカバー１０の係合部のホック５Ａの凹パーツ５Ａｈ，５Ｂの凹パーツ５Ｂｈに対して、架橋パッドの取付部のホック５Ｃの凸パーツ５Ｃｇ，５Ｄの凸パーツ５Ｄｇを係合させることにより、一対の肩ベルトカバー１０間に架橋パッド２０を取付ける構造であり、肩ベルトカバー１０と架橋パッド２０とがそれぞれ独立して取付けられるものであることから、様々な形態の既存のベビーキャリアに対応できるのみならず、１つあればベビーキャリア以外の様々な乳幼児用具及び機器にも共通に使用でき、取付対象の自由度が高く、汎用性が高い。特に、本実施の形態にかかる肩ベルトカバー１０は、幅広い寸法に対応可能である。そして、肩ベルトカバー１０と架橋パッド２０とが別体となっていることで、携帯しやすく持ち運びも便利である。
【０１５０】
また、一つの取付け対象において、接合及び分離自在な雄部材と雌部材とからなる接合具としてのホック４ａ，４ｂ，４ｃ，４ｄによって肩ベルトカバー１０の取付け位置を変えることで、一対の肩ベルト１０間に架けられる架橋パッド２０の位置を容易に変えることができる。特に、本実施の形態では、肩ベルトカバー１０の係合部としてのホック５Ａ，５Ｂの凹パーツ５Ａｈ，５Ｂｈと架橋パッド２０の取付部としてのホック５Ｃ，５Ｄの凸パーツ５Ｃｇ，５Ｄｇの接合関係（組み合わせ）を変えることによっても、一対の肩ベルト１０間に架けられる架橋パッド２０の位置を容易に変えることができ、肩ベルトカバー１０と架橋パッド２０とが独立して取付け調整可能となされており、その際の取付け調整操作も容易である。これにより、架橋パッド２０を乳幼児Ｂの正面側に配置して架橋パッド２０により乳幼児Ｂの涎を受けたり、また、架橋パッド２０を乳幼児Ｂの背中側に配置して架橋パッド２０により乳幼児Ｂの汗や脂を受けたり乳幼児Ｂの背中側を保温したりと、プロテクターＰの使用目的に応じて様々な取付け態様で使用できる。更に、左右一対の肩ベルト１５０間の間隔（寸法）、使用者Ｍや乳幼児Ｂの体型、着衣の笠高さ、抱持姿勢等に対応したより適切な位置への取付け調整が容易にでき、架橋パッド２０を乳幼児Ｂとの関係で適切な位置に配置させることができる。即ち、左右一対の肩ベルト１５０間の距離、使用者Ｍや乳幼児Ｂの体型、着衣の笠高さ、抱持姿勢等の変化に伴う架橋パッド２０の取付適正位置の変化への対応が容易にできる。
【０１５１】
因みに、従来技術（特開２００５−３１２８２３）の淀掛けをベビーキャリアの肩ベルトに直接固着させる場合においては、淀掛けは肩ベルトの所定の位置に固着するものであり、肩ベルトの長さ調整によって、淀掛けの相対位置を変動させることができるものの、使用者の体型や感覚によって乳幼児を抱持しやすい位置が異なり、また月齢によって乳幼児の大きさも異なることから、適切な肩ベルトの長さに調整した際に、乳幼児との相対関係で必ずしも肩ベルトに取付ける淀掛けが適切な位置にくるとは限らない。また、反対に、乳幼児との相対関係で肩ベルトに取付ける淀掛けが適切な位置にくるように肩ベルトを調整しても、それが使用者にとって乳幼児を抱持しやすい適切な肩ベルトの長さになっているとは限らない。
これに対し、本実施の形態にかかる汚れ防止プロテクターＰは、上述したように、接合及び分離自在な接合具としてのホック４ａ，４ｂ，４ｃ，４ｄによって取付け対象の任意の位置に取付け可能な肩ベルトカバー１０を介して架橋パッド２０を取付ける構造であることから、ベビーキャリア１００の肩ベルト１５０上で肩ベルトカバー１０の取付け位置を変動させて取付け調整することによって、左右一対の肩ベルト１５０間の間隔（寸法）、使用者Ｍや乳幼児Ｂの体型、着衣の笠高さ、抱持姿勢等に対応した乳幼児との相対関係を考慮した適切な位置に架橋パッド２０を配置させることができ、適切な取付けの位置調整が容易にできる。
【０１５２】
また、本実施の形態にかかる汚れ防止プロテクターＰは、上述したように、肩ベルト１５０に取付ける肩ベルトカバー１０の取付け操作が、接合及び分離自在な接合具としてのホック４ａ，４ｂ，４ｃ，４ｄの係合操作であり、更に、肩ベルトカバー１０に架橋パッド２０を取付ける操作も、肩ベルトカバー１０の係合部としてのホック５Ａ，５Ｂの凹パーツ５Ａｈ，５Ｂｈに対して、架橋パッド２０の取付部としてのホック５Ｃ，５Ｄの凸パーツ５Ｃｇ，５Ｄｇを係合させる係合操作であることから、取付操作に手間がかかることもなく、容易な取付け操作で乳幼児Ｂの正面側にも背面側にも架橋パッド２０を配置させることができ、使い勝手が良い。
【０１５３】
このように、本実施の形態にかかる汚れ防止プロテクターＰは、接合及び分離自在な雌部材としての凹パーツ４ｂｈ，４ｄｈと雄部材としての凸パーツ４ａｇ，４ｃｇとからなる接合具としてのホック４ａ，４ｂ，４ｃ，４ｄによって、使用者Ｍの肩周りに装着される一対の肩ベルト１５０に対して、その任意の位置の周囲を覆うように取付けられ、取付けたときに外表面となる露出面に係合部としてのホック５Ａ，５Ｂの凹パーツ５Ａｈ，５Ｂｈを設けた一対の肩ベルトカバー１０と、中央に位置し所定の面積からなる本体部２１及び本体部２１の左右両側から外方向に左右対称に突設し、表裏の一方に肩ベルトカバー１０の係合部としてのホック５Ａ，５Ｂの凹パーツ５Ａｈ，５Ｂｈに取付け自在な一対の取付部としてのホック５Ｃ，５Ｄの凸パーツ５Ｃｇ，５Ｄｇを設けた一対の連結部２２からなる架橋パッド２０とを具備するものである。
【０１５４】
したがって、本実施の形態にかかる汚れ防止プロテクターＰによれば、肩ベルトカバー１０と架橋パッド２０がそれぞれ独立して取付け可能であり、一つの取付け対象において、肩ベルト１５０上における肩ベルトカバー１０の取付け位置や、肩ベルトカバー１０の取付け向き（肩ベルト１５０上における肩ベルトカバー１０の係合部としてのホック５Ａ，５Ｂの凹パーツ５Ａｈ，５Ｂｈの位置の変動）や、肩ベルトカバー１０の係合部としてのホック５Ａ，５Ｂの凹パーツ５Ａｈ，５Ｂｈと架橋パッド２０の取付部としてのホック５Ｃ，５Ｄの凸パーツ５Ｃｇ，５Ｄｇの接合関係（組み合わせ）等を調整して、肩ベルトカバー１０の取付け位置及び一対の肩ベルトカバー１０間に架けられる架橋パッド２０の位置を容易に変えることができ、その際の取付け調整操作も容易である。これにより、架橋パッド２０を乳幼児Ｂの正面側に配置して架橋パッド２０により乳幼児Ｂの涎を受けたり、また、架橋パッド２０を乳幼児の背中側に配置して架橋パッド２０により乳幼児Ｂの汗や脂を受けたり乳幼児Ｂの背中側を保温したりと、プロテクターのＰ使用目的に応じて様々な態様で使用できる。このとき、左右一対の肩ベルトの間隔（寸法）、使用者Ｍや乳幼児Ｂの体型、着衣の笠高さ、抱持姿勢等に対応した適切な位置への取付け調整が容易にでき、架橋パッド２０を乳幼児との関係で適切な位置に配置させることができる。即ち、乳幼児の配置に対応した適切な位置に取付け可能である。また、肩ベルト１５０に取付けられた肩ベルトカバー１０により、乳幼児Ｂは直接肩ベルト１５０を舐めることがなくなり、肩ベルト１５０が汚れるのを防止できる。
【０１５５】
加えて、本実施の形態にかかる汚れ防止プロテクターＰは、このように接合及び分離自在な雌部材としての凹パーツ４ｂｈ，４ｄｈと雄部材としての凸パーツ４ａｇ，４ｃｇとからなる接合具としてのホック４ａ，４ｂ，４ｃ，４ｄによって取付け対象の任意の位置に肩ベルトカバー１０を取付けることができ、この肩ベルトカバー１０に設けた係合部としてのホック５Ａ，５Ｂの凹パーツ５Ａｈ，５Ｂｈに対して、架橋パッド２０の取付部としてのホック５Ｃ，５Ｄの凸パーツ５Ｃｇ，５Ｄｇを接合させることにより、一対の肩ベルトカバー１０間に架橋パッド２０を取付けるものであり、取付け対象の肩ベルト１５０の任意の位置に取付け可能な肩ベルトカバー１０を介して架橋パッド２０を取付ける構成であることから、ベビーキャリアの種類やメーカ等による左右一対の肩掛けベルト１５０の間隔（寸法）、キャリア本体の大きさや形態等の違いにも対応でき、様々な形態の既存のベビーキャリアに対して適用させて取付けることが可能である。更には、ベビーキャリア以外にも、ベビーカー、チャイルドシート、買い物用カート、ベビーベット、室内ブランコ、幼児用椅子等の乳幼児が触れる生活環境の乳幼児用具及び機器等における肩ベルトにも取付けできる。
即ち、様々な形態の既存のベビーキャリアに対応できるのみならず、１つあればベビーキャリア以外の様々な乳幼児用具及び機器にも共通に使用でき、汎用性が高い。
【０１５６】
そして、肩ベルトカバー１０や架橋パッド２０が汚れたときには、それらを取り外して洗濯することで、清潔さを保つことができる。更に、肩ベルトカバー１０や架橋パッド２０を洗濯によって常に清潔に保つことで、乳幼児Ｂの涎、汗等が付着することや乳幼児Ｂが舐めることによる不潔感、不衛生感も解消させることができる。
【符号の説明】
【０１５７】
１    本体布
４ａ，４ｂ，４ｃ，４ｄ  ホック（接合具）
４ａｆ，４ｂｆ，４ｃ，４ｄｆ  意匠パーツ
４ａｇ，４ｃｇ  凸パーツ（雄部材）
４ｂｈ，４ｄｈ  凹パーツ（雌部材）
５Ａ，５Ｂ  ホック
５Ａｆ，５Ｂｆ  意匠パーツ
５Ａｈ，５Ｂｈ  凹パーツ（係合部）
６ａ，６ｂ，６ｃ，６ｄ  接着布（接合具）
１０，１０Ａ，１０Ｂ，１０Ｃ，１０Ｄ  肩ベルトカバー
２０  架橋パッド
２１  本体部
２２  連結部
５Ｃ，５Ｄ  ホック
５Ｃｆ，５Ｄｆ  意匠パーツ
５Ｃｇ，５Ｄｇ  凸パーツ（取付部）
１５０  肩ベルト
Ｐ  汚れ防止プロテクター
Ｍ  使用者
Ｂ  乳幼児
【図１】
2015205098.tif 000003
【図２】
2015205098.tif 000004
【図３】
2015205098.tif 000005
【図４】
2015205098.tif 000006
【図５】
2015205098.tif 000007
【図６】
2015205098.tif 000008
【図７】
2015205098.tif 000009
【図８】
2015205098.tif 000010
【図９】
2015205098.tif 000011
【図１０】
2015205098.tif 000012
【図１１】
2015205098.tif 000013
【図１２】
2015205098.tif 000014
【図１３】
2015205098.tif 000015
【図１４】
2015205098.tif 000016
【図１５】
2015205098.tif 000017
【図１６】
2015205098.tif 000018
【図１７】
2015205098.tif 000019
【図１８】
2015205098.tif 000020
【図１９】
2015205098.tif 000021